(57)【特許請求の範囲】
【請求項１】
弾性材料を形成するための方法であって、
縦方向に上面および下面を有する第一の連続基体材料を前進させる工程と、
前記縦方向に上面および下面を有する第二の連続基体材料を前進させる工程と、
前記縦方向に伸張状態で弾性ストランドを前進させる工程であって、前記弾性ストランドが、前記第一の連続基体材料の前記下面と前記第二の連続基体材料の前記上面との間に位置付けられるように、前進させる、該工程と、
前記第一の連続基体材料および前記第二の連続基体材料の間に位置付けられた前記弾性ストランドとともに前記第一の連続基体材料および前記第二の連続基体材料を接合装置に前進させる工程であって、前記接合装置が、
第一の接合要素と、
前記第一の接合要素に近接して配置され、前記第一の接合要素との接合ニップを形成する第二の接合要素と、を含む、該前進させる工程と、
前記弾性ストランドを幅方向に振動させる工程と、
前記第一の連続基体材料、前記第二の連続基体材料、および前記弾性ストランドを前記接合ニップを通して前進させ、複数の接合物で、前記第一の連続基体材料および前記第二の連続基体材料の間に位置付けられた前記弾性ストランドとともに、前記第一の連続基体材料を前記第二の連続基体材料に接合する工程と、を含み、
前記複数の接合物が、第一の接合物および第二の接合物を含み、
前記第一の接合物および前記第二の接合物が、前記弾性ストランドの両側に配置され、かつ前記弾性ストランドの非張力の直径よりも小さい距離だけ離間し、前記第一の接合物および前記第二の接合物が、アーチ状に延在する前記弾性ストランドの一部に沿って位置し、
前記複数の接合物が、長手方向に隣接する接合物列の間に延びる複数の接合されていないチャネルを形成する接合物列内に配置され、
（ｉ）前記弾性ストランドのアーチ状部分が複数の接合されていないチャネルの複数の間に延在するか、または（ｉｉ）前記複数の接合物の一部がアーチ形状を有する接合されていないチャネルを形成し、前記弾性ストランドの前記アーチ状部分が前記アーチ形状の接合されていないチャネルを通って延びる、方法。
【請求項２】
前記第二の接合要素が、周囲を含む外縁を有するロールであり、前記第二の連続基体材料および前記弾性ストランドが、前記周囲の５％〜７５％である接触長さのために前記外縁に沿って前記第二の接合要素に接触する、請求項１に記載の方法。
【請求項３】
前記第二の接合要素が、周囲を含む外縁を有するロールであり、前記第二の連続基体材料および前記弾性ストランドが、前記周囲の１５％〜５０％である接触長さのために前記外縁に沿って前記第二の接合要素に接触する、請求項１に記載の方法。
【請求項４】
前記第二の連続基体材料が、前記周囲の５％〜７５％である接触長さのために前記外縁に沿って前記第二の接合要素に接触する、請求項２に記載の方法。
【請求項５】
前記第一の連続基体材料および前記第二の連続基体材料の間に配置された前記弾性ストランドとともに、前記第一の連続基体材料を前記第二の連続基体材料に、接合する工程が、
前記弾性ストランドの両側に配置された第三の接合物および第四の接合物を形成する工程をさらに含み、
前記第三の接合物および前記第四の接合物が、前記弾性ストランドの非張力の直径よりも小さい距離だけ離間し、
前記第三の接合物および前記第四の接合物が、直線的に延びる前記弾性ストランドの一部に沿って位置する、請求項１に記載の方法。
【請求項６】
前記方法が、前記第一の連続基体材料と前記第二の連続基体材料との間に接着剤を塗布する工程を含まない、請求項１に記載の方法。
【請求項７】
前記第一の接合物および前記第二の接合物が圧力接合によって形成される、請求項１に記載の方法。
【請求項８】
前記第一の接合物および前記第二の接合物が、超音波接合によって形成される、請求項１に記載の方法。
【請求項９】
弾性材料を形成するための方法であって、
縦方向に上面および下面を有する第一の連続基体材料を前進させる工程と、
前記縦方向に上面および下面を有する第二の連続基体材料を前進させる工程と、
前記縦方向に伸張状態で弾性ストランドを前進させる工程であって、前記弾性ストランドが、前記第一の連続基体材料の前記下面と前記第二の連続基体材料の前記上面との間に位置付けられるように、該前進させる工程と、
前記第一の連続基体材料および前記第二の連続基体材料の間に位置付けられた前記弾性ストランドとともに前記第一の連続基体材料および前記第二の連続基体材料を接合装置に前進させる工程であって、前記接合装置が、
第一の接合要素と、
前記第一の接合要素に近接して配置され、前記第一の接合要素と接合ニップを形成する第二の接合要素と、
前記第二の接合要素に近接して配置され、前記第二の接合要素と案内ニップを形成する案内要素と、を含む、該前進させる工程と、
前記弾性ストランドを幅方向に振動させる工程と、
前記第二の連続基体材料と前記弾性ストランドが前記接合ニップの前で前記第二の接合要素と接触するように、前記第二の連続基体材料および前記弾性ストランドを、前記案内ニップを通して前進させる工程と、
前記第一の連続基体材料、前記第二の連続基体材料、および前記弾性ストランドを前記接合ニップを通して前進させ、複数の接合物で、前記第一の連続基体材料および前記第二の連続基体材料の間に位置付けられた前記弾性ストランドとともに、前記第一の連続基体材料を前記第二の連続基体材料に接合する工程と、を含み、
前記複数の接合物が、第一の接合物および第二の接合物を含み、
前記第一の接合物および前記第二の接合物が、前記弾性ストランドの両側に配置され、前記弾性ストランドの非張力の直径よりも小さい距離だけ離間し、
前記第一の接合物および前記第二の接合物が、アーチ状に延在する前記弾性ストランドの一部に沿って位置し、
前記複数の接合物が、長手方向に隣接する接合物列の間に延びる複数の接合されていないチャネルを形成する接合物列内に配置され、
（ｉ）前記弾性ストランドのアーチ状部分が複数の接合されていないチャネルの複数の間に延在するか、または（ｉｉ）前記複数の接合物の一部がアーチ形状を有する接合されていないチャネルを形成し、前記弾性ストランドの前記アーチ状部分が前記アーチ形状の接合されていないチャネルを通って延びる、方法。
【請求項１０】
前記第二の接合要素が、周囲を含む外縁を有するロールであり、前記案内要素が、前記接合ニップと前記案内ニップとの間の距離が、前記第二の接合要素の外縁に沿って、前記周囲の５％〜７５％であるように配置される、請求項９に記載の方法。
【請求項１１】
前記第二の接合要素が、周囲を含む外縁を有するロールであり、前記案内要素が、前記接合ニップと前記案内ニップとの間の距離が、前記第二の接合要素の外縁に沿って、前記周囲の１５％〜５０％であるように配置される、請求項９に記載の方法。
【請求項１２】
前記第一の連続基体材料を、前記第二の連続基体材料とともに前記案内ニップを通して前進させる工程をさらに含む、請求項９に記載の方法。
【請求項１３】
前記第一の連続基体材料および前記第二の連続基体材料の間に配置された前記弾性ストランドとともに、前記第一の連続基体材料を前記第二の連続基体材料に、接合する工程が、
前記弾性ストランドの両側に配置された第三の接合物および第四の接合物を形成する工程をさらに含み、
前記第三の接合物および前記第四の接合物が、前記弾性ストランドの非張力の直径よりも小さい距離だけ離間し、
前記第三の接合物および前記第四の接合物が、直線的に延びる前記弾性ストランドの一部に沿って位置する、請求項９に記載の方法。
【請求項１４】
前記方法が、前記第一の連続基体材料と前記第二の連続基体材料との間に接着剤を塗布する工程を含まない、請求項９に記載の方法。
【請求項１５】
前記第一の接合要素および前記第二の接合要素の少なくとも一つが、ロールを含む、請求項９に記載の方法。
【請求項１６】
弾性材料であって、
第一の基材層と、
第二の基材層と、
前記第一の基材層と前記第二の基材層との間に配置される弾性ストランドと、
前記第一の基材層を前記第二の基材層に接合する複数の接合物と、を含み、
前記弾性ストランドが少なくとも一つの直線部分および少なくとも一つのアーチ状部分を含み、
前記複数の接合物が、第一の接合物および第二の接合物を含み、前記第一の接合物および前記第二の接合物が、前記弾性ストランドの両側に配置され、前記弾性ストランドの非張力の直径よりも小さい距離だけ離間し、
前記第一の接合物および前記第二の接合物が、前記弾性ストランドのアーチ状部分に沿って位置し、
前記複数の接合物が、長手方向に隣接する接合物列の間に延びる複数の接合されていないチャネルを形成する接合物列内に配置され、
（ｉ）前記弾性ストランドのアーチ状部分が複数の接合されていないチャネルの複数の間に延在するか、または（ｉｉ）前記複数の接合物の一部がアーチ形状を有する接合されていないチャネルを形成し、前記弾性ストランドの前記アーチ状部分が前記アーチ形状の接合されていないチャネルを通って延びる、弾性材料。
【請求項１７】
前記複数の接合物が、第三の接合物および第四の接合物をさらに含み、前記第三の接合物および前記第四の接合物は、前記弾性ストランドの両側に配置され、
前記第三の接合物および前記第四の接合物が、前記弾性ストランドの非張力の直径よりも小さい距離だけ離間し、
前記第三の接合物および前記第四の接合物が、前記弾性ストランドの前記少なくとも一つの直線部分に沿って位置する、請求項１６に記載の弾性材料。
【請求項１８】
前記弾性材料が接着剤を含まない、請求項１６に記載の弾性材料。
【請求項１９】
前記弾性ストランドのアーチ状部分が複数の接合されていないチャネルの複数の間に延在する、請求項１６に記載の弾性材料。
【請求項２０】
前記複数の接合物の一部がアーチ形状を有する接合されていないチャネルを形成し、前記弾性ストランドの前記アーチ状部分が前記アーチ形状の接合されていないチャネルを通って延びる、請求項１６に記載の弾性材料。
【発明の詳細な説明】
【技術分野】
【０００１】
優先権の主張
本出願は、２０１７年１０月３１日出願の「Ｅｌａｓｔｉｃ  Ｌａｍｉｎａｔｅｓ  Ｗｉｔｈ  Ｃｕｒｖｅｄ  Ｅｌａｓｔｉｃｓ  Ａｎｄ  Ｍｅｔｈｏｄｓ  Ｆｏｒ  Ｍａｎｕｆａｃｔｕｒｉｎｇ」と題される米国仮特許出願第６２／５７９，５４６号、および２０１７年１０月３１日出願の「Ｅｌａｓｔｉｃ  Ｌａｍｉｎａｔｅｓ  Ｗｉｔｈ  Ｃｕｒｖｅｄ  Ｅｌａｓｔｉｃｓ  Ａｎｄ  Ｍｅｔｈｏｄｓ  Ｆｏｒ  Ｍａｎｕｆａｃｔｕｒｉｎｇ」と題される米国仮特許出願第６２／５７９，４９４号に対する優先権を主張し、その内容を本出願と一致する方法で参照により本明細書に組み込む。
【０００２】
本開示は、弾性材料、およびより具体的には、湾曲弾性ストランドを有する弾性材料に関連する。
【背景技術】
【０００３】
弾性材料は、さまざまな衣類および吸収性物品内を含む、多くの異なる用途で使用される。こうした弾性材料は、有益なフィット特性を提供するために、ウェストバンド、脚カフ、バリアカフ、または衣類および吸収性物品のその他の構成要素の一部として使用されてもよく、または体滲出物の漏れの防止、またはその他の利益を与える。
【０００４】
多くの現在の衣服衣類および吸収性物品は、材料の層の間に位置付けられ、接着剤を用いて材料の層に貼り付けられた弾性ストランドを含む弾性材料を含む。一部の従来技術の弾性材料は、個別の個々の接合物を使用して材料の層に弾性ストランドを貼り付けることに有利な接着剤を取り除くように試みられている。これらの従来技術の材料は、弾性ストランドの非張力の直径よりも小さい距離で接合物を弾性ストランドにわたって位置付ける。いくつかの例示的な従来技術材料は、Ｃｅｒａ  Ｆｒａｎｃｅ  Ｃｏｍｐａｇｎｉｅ  ｄ’Ｅｑｕｉｐｍｅｎｔ  Ｒｏｂｏｔｉｑｕｅ  Ａｐｐｌｉｑｕｅｅによる「Ｒｕｆｆｌｉｎｇ  Ｓｌｉｄｅ  ａｎｄ  Ｍｅｔｈｏｄ  ｆｏｒ  Ｍａｋｉｎｇ  Ｓａｍｅ」と題された米国特許６，２９１，０３９号にみることができる。この特定の構造構成は、弾性ストランドを接合物の間で弾性材料内に保持する。これらの接着剤のない弾性材料は、弾性材料内の弾性ストランドを貼り付けるために接着剤を必要としないため、コスト利点を有する。このような弾性材料の製造中に弾性ストランドを曲げることが、接合物が弾性ストランドを通して形成され、故に弾性ストランドを破壊または損傷することがあるので、湾曲弾性ストランドを有する方法で弾性材料を形成することは問題であることが分かっている。従って、接着剤を含まず、かつ湾曲弾性ストランドを含み、またストランド破損とならない弾性材料を形成する弾性材料およびプロセスが望ましい。
【発明の概要】
【０００５】
本開示は、弾性材料、およびより具体的には、湾曲弾性ストランドを有する弾性材料に関連する。一般に、本開示の弾性材料は、接着剤なしで構成され、概してアーチ状または湾曲した形状を形成する弾性ストランドを含む。接着剤を使用することなく弾性材料を形成することは、接着剤塗布に必要とされる関連付けられた機械類に加えて、吸収性物品衣類に用いられる接着剤の減少に関して優れたコスト利点を提供する。接着剤がないことはまた、個別の接合物によって柔らかさやユニークなパターニングの増加など、製品の利益に関連する利点を持つ。アーチ状または湾曲した弾性ストランドは、良好なフィット制御を提供し得る。
【０００６】
一実施形態では、弾性材料を形成するための方法は、縦方向に上面および下面を有する第一の連続基体材料を前進させることと、縦方向に上面および下面を有する第二の連続基体材料を前進させることと、縦方向に伸張状態で弾性ストランドを前進させることであって、弾性ストランドが、第一の連続基体材料の下面と第二の連続基体材料の上面との間に位置付けられるように、前進させることとを含んでもよい。方法は、第一の連続基体材料および第二の連続基体材料の間に位置付けられた弾性ストランドとともに第一の連続基体材料および第二の連続基体材料を接合装置に前進させることをさらに含んでもよい。接合装置が、第一の接合要素と、第一の接合要素に近接して配置され、第一の接合要素との接合ニップを形成する第二の接合要素とを含んでもよい。方法はまた、弾性ストランドを幅方向に振動させることと、第一の連続基体材料、第二の連続基体材料、および弾性ストランドを接合ニップを通して前進させ、少なくとも第一の接合物および第二の接合物で、第一の連続基体材料および第二の連続基体材料の間に位置付けられた弾性ストランドとともに、第一の連続基体材料を第二の連続基体材料に接合することとを含んでもよい。第一の接合物および第二の接合物が、弾性ストランドの両側に配置され、かつ弾性ストランドの非張力の直径よりも小さい距離だけ離間してもよく、およびアーチ状に延在する弾性ストランドの一部に沿って位置され得る。
【０００７】
別の実施形態では、弾性材料を形成するための方法は、縦方向に上面および下面を有する第一の連続基体材料を前進させることと、縦方向に上面および下面を有する第二の連続基体材料を前進させることと、縦方向に伸張状態で弾性ストランドを前進させることであって、弾性ストランドが、第一の連続基体材料の下面と第二の連続基体材料の上面との間に位置付けられるように、前進させることと、第一の連続基体材料および第二の連続基体材料の間に位置付けられた弾性ストランドとともに第一の連続基体材料および第二の連続基体材料を接合装置に前進させることとを含んでもよい。接合装置は、第一の接合要素と、第一の接合要素に近接して配置され、第一の接合要素と接合ニップを形成する第二の接合要素と、第二の接合要素に近接して配置され、第二の接合要素と案内ニップを形成する案内要素とを含んでもよい。方法は、弾性ストランドを幅方向に振動させることと、第二の連続基体と弾性体が接合ニップの前で第二の接合要素と接触するように、第二の連続基体および弾性ストランドを、案内ニップを通して前進させることと、第一の連続基体材料、第二の連続基体材料、および弾性ストランドを接合ニップを通して前進させ、少なくとも第一の接合物および第二の接合物で、第一の連続基体材料および第二の連続基体材料の間に位置付けられた弾性ストランドとともに第一の連続基体材料を第二の連続基体材料に接合することとをさらに含んでもよい。第一の接合物および第二の接合物が、弾性ストランドの両側に配置され、弾性ストランドの非張力の直径よりも小さい距離だけ離間し、アーチ状に延在する弾性ストランドの一部に沿って位置され得る。
【０００８】
さらなる実施形態では、弾性材料は、第一の基材層と、第二の基材層と、第一の基材層と第二の基材層との間に配置される弾性ストランドと、第一の基材層を第二の基材層に接合する複数の接合物とを含んでもよい。弾性ストランドが少なくとも一つの直線部分および少なくとも一つのアーチ状部分を含んでもよい。複数の接合物は、第一の接合物および第二の接合物を含んでもよく、第一の接合物および第二の接合物は、弾性ストランドの両側に配置され、弾性ストランドの非張力の直径よりも小さい距離だけ分離され、弾性ストランドのアーチ状部分に沿って位置され得る。
【０００９】
本開示の上記の概要は、各実施形態または本開示の実施全てを説明することを意図していない。本開示のより完全な理解とともに、利点および達成は、添付図面と併せて行われる以下の詳細な説明および請求項を参照することによって明らかになり、認識される。
【図面の簡単な説明】
【００１０】
本開示は、添付図面に関連してさまざまな実施形態の以下の詳細な説明を考慮してより完全に理解され得る。
【００１１】
【図１】図１は、本開示の態様による弾性材料の平面図である。
【図２】図２は、図１の弾性材料の一部分の拡大図の平面図である。
【図３Ａ】図３は、本開示の態様による別の弾性材料の平面図である。
【図３Ｂ】図３は、本開示の態様による別の弾性材料の平面図である。
【図３Ｃ】図３は、本開示の態様による別の弾性材料の平面図である。
【図４】図４は、図３の弾性材料の一部分の拡大図の平面図である。
【図５】図５は、本開示の態様による別の弾性材料の平面図である。
【図６】図６は、図５の弾性材料の一部分の拡大図の平面図である。
【図７】図７は、本開示の弾性材料を形成するためのプロセスの概略図である。
【図８】図８は、本開示の弾性材料を形成する別のプロセスの概略図である。
【図９】図９は、本開示の態様による弾性材料を含む例示的吸収性物品の平面図である。
【図１０】図１０は、本開示の態様による弾性材料を含む別の例示的吸収性物品の平面図である。
【図１１】図１１は、本開示の態様による、湾曲弾性ストランドを含む吸収性物品を形成するためのプロセスの概略図である。
【００１２】
本開示は、さまざまな修正および代替形態に変更可能であるが、その詳細は、図面の例として示され、詳細に説明される。しかしながら、本開示は、記載された特定の実施形態に本開示の態様を限定するものではないことを理解されたい。むしろ、本開示の範囲内に入る全ての修正、等価物、および代替物をカバーすることを意図するものである。
【発明を実施するための形態】
【００１３】
本開示は一般に、アーチ状または湾曲した弾性ストランドを持つ弾性材料を形成するための弾性材料およびプロセスに向けられる。一般に、弾性材料は、材料内の弾性ストランドを貼り付けるための接着剤を必要としなくてもよい。しかし、一部の実施形態では、本明細書に開示される弾性材料は、接着剤の塗布からも利益を得る場合があることが理解されるべきである。例えば、弾性材料は、弾性材料の材料間の一貫した接触および最小限の滑りを確保するために、接着剤を積層することを用いてもよい。本開示は、弾性材料内でアーチ状または湾曲した形状の弾性ストランドを貼り付けるために、異なる接合物パターンを使用して記述されたプロセスによって形成され得るいくつかの異なる材料構造を詳述する。
【００１４】
それぞれの例および実施形態は、限定ではなく、説明の目的で提供されている。例えば、一実施形態または図の一部として図示または記述された特徴は、別の実施形態または図とともに使用して、またさらなる実施形態を生じ得る。従って、本開示の態様はこのような修正および変形を網羅することが意図されている。
【００１５】
いくつかの適切な寸法、範囲および／またはさまざまな構成要素、特徴および／または仕様に関する範囲および／または値が開示されているが、当業者であれば、本開示によって引用されるのは、所望の寸法、範囲および／または値が明示的に開示されたものから逸脱し得ることを理解するであろう。
【００１６】
本開示またはその好適実施形態の要素を紹介する時、冠詞「ａ」、「ａｎ」、「ｔｈｅ」および「ｓａｉｄ（前述の）」は要素の一つまたは複数があることを意味する。「含む」、「含む」および「有する」という用語は包括的であることを意図し、記載された要素よりも他の追加的要素があり得ることを意味する。本開示の精神および範囲を逸脱することなく、本開示の多くの変更および変形をなし得る。従って、上述の例示的実施形態は本発明の範囲を制限するために使用されるべきでない。
【００１７】
用語の定義
「吸収性物品」という用語は本明細書で使用する場合、身体から排出されるさまざまな液体、固体、および半固体の滲出物を吸収および包含するために、着用者の身体に接触して、または着用者の身体に近接して（すなわち、身体と隣接して）配置し得る物品をさす。このような吸収性物品は、再使用のために洗濯またはその他の方法で復元するのではなく、限定された使用期間後は廃棄することが意図されている。本開示は、オムツ、オムツパンツ、トレーニングパンツ、幼児用おむつ、水泳パンツ、生理用パッドまたはパンツを含むがこれに限定されない女性用衛生用品、失禁用製品、大人用おむつ、医療用衣類、手術用パッドおよび包帯、その他のパーソナルケアまたはヘルスケア衣類などを含むがこれらに限定されないさまざまな使い捨て吸収性物品に、本開示の範囲から逸脱することなく適用されることを理解すべきである。
【００１８】
「接合」、「付着」、「連結」という用語は本明細書で使用する場合、二つの要素の接合、接着、接続、付着などをさす。二つの要素は、それらが互いに直接的に、または各々が中間要素に直接接合しているときのように互いに間接的に、接合、接着、接続、付着などしているとき、ともに接合、付着、連結されているとみなされるであろう。一つの要素の別の要素との接合、付着、または連結は、連続的または断続的な接合物を介して起こり得る。
【００１９】
「カーデッドウェブ」という用語は本明細書で使用する場合、典型的には約１００ｍｍ未満の繊維長さを有する、天然または合成の繊維長の繊維を含むウェブをさす。ステープル繊維の梱は繊維を分離するための開繊プロセスを受け、カーディングプロセスに送られるが、ここで繊維を分離して梳き、縦方向に整列させた後、さらなる処理のために繊維を移動ワイヤー上に堆積する。このようなウェブは通常、熱および／または圧力を使用する熱接合などの、一部のタイプの接合プロセスを受ける。それに加えて、またはその代わりに、繊維は、粉末接着剤の使用などにより繊維を一緒に接合する接着プロセスを受け得る。カーデッドウェブは、繊維をさらに絡み合わせ、水流交絡などの流体交絡を受けることができ、それによってカーデッドウェブの完全性を改善する。カーデッドウェブは縦方向の繊維整列のために、一旦接合されると典型的には、幅方向強さよりも大きな縦方向強さを有する。
【００２０】
「フィルム（ｆｉｌｍ）」という用語は、本明細書において、キャストフィルム押出またはブローンフィルム押出プロセスなどの押出および／または成形プロセスを使用して作られる熱可塑性フィルムをさす。本用語は、液体移動フィルムを構成する有孔フィルム、スリットフィルム、およびその他の多孔性フィルム、ならびにバリアフィルム、充填フィルム、通気性フィルム、および配向フィルムなどであるがこれらに限定されない流体を移動しないフィルムを含む。
【００２１】
「ｇｓｍ」という用語は、本明細書において、平方メートルあたりのグラム数をさす。
【００２２】
「親水性（ｈｙｄｒｏｐｈｉｌｉｃ）」という用語は、本明細書において、繊維と接触している水性液体によって濡れる繊維または繊維の表面をさす。材料の濡れの程度は、関与する液体および材料の接触角および表面張力に関して説明され得る。特定の繊維材料または繊維材料の混合物の濡れ性を計測する適切な機器とギ技術は、Ｃａｈｎ  ＳＦＡ−２２２表面力分析システム、または実質的に同等なシステムによって提供され得る。このシステムで測定する時、９０度未満の接触角を有する繊維は「濡れ性」または親水性と呼ばれ、９０度より大きな接触角を有する繊維は「非濡れ性（ｎｏｎｗｅｔｔａｂｌｅ）」または疎水性と呼ばれる。
【００２３】
本明細書で使用する時、「メルトブローン」という用語は、溶融熱可塑性材料を溶融糸またはフィラメントとして、通常は円形の複数の細いダイスキャピラリーを通して、高速な収束速度の加熱ガス（例えば空気）流中に押出すことによって形成された繊維を意味するが、高速ガス流は溶融熱可塑性材料のフィラメントを希釈して、場合によってはマイクロ繊維の直径までその直径を小さくする。その後、メルトブローン繊維は、高速度ガス流により運ばれ、収集表面上に積層されて不定期に分散されるメルトブローン繊維のウェブを形成する。かかるプロセスは、例えば、Ｂｕｔｉｎらの米国特許第３，８４９，２４１号で開示されており、これは参照により本明細書に組み込まれる。メルトブローン繊維は連続的または断続的であり得るミクロ繊維であり、一般に約０．６デニールよりも小さく、収集表面上に積層された時、粘着性で自己接合し得る。
【００２４】
「不織布」という用語は本明細書で使用する場合、織物製織または編組プロセスの助けなしに形成される材料およびウェブ材料をさす。材料およびウェブ材料は、間に差し込むことができるが、編物でのように識別可能な様式ではない個別の繊維、フィラメント、または糸（まとめて「繊維」と呼ばれる）の構造を有し得る。不織布材料またはウェブは、メルトブローンプロセス、スパンボンドプロセス、カーデッドウェブプロセス、水流交絡プロセスなどであるがこれらに限定されない多くのプロセスで形成し得る。
【００２５】
「スパンボンド」という用語は本明細書で使用する場合、円形またはその他の形状を有する紡糸口金の複数の細かいキャピラリーからフィラメントとして溶融熱可塑性材料を押出すことによって形成され、次に押出されたフィラメントの直径は、例えば抽出引出しなどの従来型プロセス、および米国特許第４，３４０，５６３号（Ａｐｐｅｌら）、米国特許第３，６９２，６１８号（Ｄｏｒｓｃｈｎｅｒら）、米国特許第３，８０２，８１７号（Ｍａｔｓｕｋｉら）、米国特許第３，３３８，９９２号および第３，３４１，３９４号（Ｋｉｎｎｅｙ）、米国特許第３，５０２，７６３号（Ｈａｒｔｍａｎｎ）、米国特許第３，５０２，５３８号（Ｐｅｔｅｒｓｏｎ）、および米国特許第３，５４２，６１５号（Ｄｏｂｏら）（これらのそれぞれは参照によりその全体が本明細書に組み込まれる）に記述されるプロセスによって急激に減少する。スパンボンド繊維は一般に連側的であり、しばしば約０．３より大きな平均デニールを有し、一実施形態では約０．６、５および１０〜約１５、２０および４０の間の平均デニールを有する。スパンボンド繊維は、収集表面上に堆積したとき、一般に粘着性はない。
【００２６】
材料または物品の一部を描写するため本明細書で使用される場合、「弾性」という用語は、材料または物品が、材料または物品が弾性特性を示すように、弾性材料（例えば、一つまたは複数の弾性バンドまたはストランド）に接合された非弾性シート材料で作製されることを意味する。
【００２７】
「熱可塑性（ｔｈｅｒｍｏｐｌａｓｔｉｃ）」という用語は、本明細書において、熱に曝された時に軟化して成形することができ、室温に冷却された時、実質的に非軟化状態に戻る材料をさす。
【００２８】
「ユーザ（ｕｓｅｒ）」または「介護者（ｃａｒｅｇｉｖｅｒ）」という用語は、本明細書において、これらの吸収性物品のうちの一つの着用者の周りの、おむつ、おむつパンツ、トレーニングパンツ、幼児用おむつ、失禁用製品、またはその他の吸収性物品などであるがこれらに限定されない吸収性物品に適合する人を指す。ユーザと着用者は、一人の同一人物とすることができる。
【００２９】
弾性材料：
図１は、例示的な弾性材料１０の一部分を図示する平面図である。弾性材料１０は一般に、上部シート縁部１１と底部シート縁部１３との間の長手方向３１および横方向３２の両方に伸張する。弾性材料１０は一般に、第一の材料層１２、第二の材料層１４、弾性ストランド１６、および接合物２０を含み得る。下記により詳細に説明するように、接合物２０の少なくとも一部は、接合物２０が弾性材料１０内の適切な位置に弾性ストランド１６の部分を貼り付けるか、閉じ込めるように、弾性ストランド１６の両側に位置し得る。
【００３０】
図３Ａは、図１の円３３の拡大図を示し、接合物２０と、弾性材料１０の弾性ストランド１６のうちの一つを、より詳細に詳述し、記述された弾性ストランド１６を閉じ込めることを示す。具体的には、図３Ａは、弾性ストランド１６がストランド１６を閉じ込める接合物２０ａおよび２０ｂなどの接合物２０対の間を通過するときに、弾性ストランド１６の外縁を破線で示す。図示されるように、図３Ａの弾性ストランド１６は、弾性ストランド１６の横方向の長さに沿って互いに配置される非閉じ込められた部分２１および閉じ込められた部分２２を有し得る。
【００３１】
材料１２および１４の層の間内に閉じ込められた弾性ストランド１６を備えた弾性材料１０などの材料を形成するために、弾性ストランド１６は、弾性ストランド１６が第一の材料層１２と第二の材料層１４との間に位置付けられる前、または位置付けられると拡張され得る。弾性ストランド１６は、非張力の外径を有してもよく、また弾性ストランド１６の外径は、ストランド１６が延伸されると減少し得る。従って、ストランド１６が第一の材料層１２と第二の材料層１４との間に配置される前または配置される時点では、弾性ストランド１６は、非張力の外径より小さい外径を有し得る。その後、材料１０の少なくとも一対の接合物２０、例えば、図３Ａの接合物２０ａ、２０ｂは、延伸弾性ストランド１６の両側に配置され、ストランド１６を介して長手方向距離２５だけ離間し得る。いくつかの実施形態では、長手方向距離２５は、接合物対２０ａ、２０ｂが形成される時点でのストランド１６の外径とほぼ等しくてもよい。その他の実施形態では、長手方向距離２５は、接合物対２０ａ、２０ｂが形成される時点でストランド１６の外径よりも大きいが、ストランド１６の非張力の直径の外径より小さくてもよい。
【００３２】
材料１０などの弾性材料の弾性ストランド１６が弛緩することができるように、弾性ストランド１６の外径は一般に、非張力の外径に向かって戻り増加する。しかしながら、図３Ａでわかるように、この膨張は、接合物対２０ａ、２０ｂ、２０ｄ、２０ｅなどのストランド１６の非張力の直径よりも小さい長手方向距離だけ、ストランド１６を横切って位置付けられる接合物２０によって、弾性ストランド１６の閉じ込められた部分２２に抑制される。図３Ａの弾性ストランド１６が伸張状態から弛緩し収縮すると、弾性ストランド１６の非閉じ込められた部分２１は、長手方向３１（例えば、弾性ストランド１６の外径が増加する）内で拡張し、非閉じ込められた部分２１内の拡張した外径２３を有する弾性ストランド１６を有する図３Ａに示される構造を得る。閉じ込められた部分２２により、弾性ストランド１６が材料１０内の所定の位置に貼り付けられる。
【００３３】
弾性ストランド１６の弛緩により、閉じ込められた部分２２の間のストランド１６の収縮が引き起こされる。この収縮により、対応する谷１５および隆起１７が弾性材料１０内に形成される。谷１５および隆起１７を含む弾性材料１０の構造は、図２により明確に記述されるが、これは図１の線２−２に沿った弾性材料１０の断面であり、この線は弾性材料１０の隆起１５および谷１７に垂直に延びる。
【００３４】
いくつかの実施形態において、弾性ストランド１６の拡張直径２３は、弾性ストランド１６の非張力の直径と同じであり得るが、その他の実施形態ではそうではなくてもよい。例えば、弾性ストランド１６のタイプの特定の構成、成形プロセス中の弾性ストランド１６の伸張量、および弾性ストランド１６に渡る接合物２０間の長手方向距離２５において、および／または接合物２０間の横方向距離において、伸長弾性ストランド１６に関する接合物２０の位置が、弾性ストランド１６の直径がストランド１６の非張力の直径まで、非閉じ込められた部分２１において、伸張することを防止し得る。従って、いくつかの実施形態では、材料１０の弾性ストランド１６の少なくとも幾つかの非閉じ込められた部分２１の拡張直径２３は、まだ弾性ストランド１６の非張力の直径よりも小さくてもよい。
【００３５】
従って、上記の様式では、弾性ストランド１６は、弾性材料１０内に閉じ込められ得る。さらに、図１で見ることができるように、いくつかの実施形態では、弾性材料１０は、概してアーチ状に材料１０を通って延在する閉じ込められた弾性ストランド１６を含み得る。概してアーチ状に材料１０を通って延びる弾性ストランド１６を持つことで、材料１０に望ましい伸張特性を提供し得る。一例として、アーチ状弾性ストランド１６は、材料１０を利用する物品のより良いフィットを可能にし得る。
【００３６】
本明細書で使用される場合、「アーチ状」または「概してアーチ状」という用語は、本開示の弾性材料を通してストランド１６が横方向および長手方向３１、３２の両方に延びる弾性ストランド１６形態の部分の一般的形状を包含する。例えば、図１に示すように、弾性ストランド１６は概してアーチ状部分１８を含む。いくつかの実施形態では本開示の弾性材料は、直線部分１９を含んでもよい。直線部分は、約５ｍｍより大きいまたは約１０ｍｍより大きいまたは約１５ｍｍより大きいなど、別個の第二の方向（長手方向３２など）に延びることなく、測定可能な距離にたいし、実質的に単一の方向（一般に、横方向３１）に延びるストランド１６の部分として定義され得る。
【００３７】
本開示によって意図される弾性材料のいくつかの実施形態では、一つまたは複数の弾性ストランド１６は、ストランド１６が直線部分１９を含まない一般に連続的なアーチ形状を持ち得る。その他の意図された実施形態では、ストランド１６は、アーチ状部分１８と直線部分１９との間を交互にし得る。図１に示す一つのこうした実施形態は、直線部分１９を有する弾性ストランド１６を含み、アーチ状部分１８は直線部分１９の間に配置される。
【００３８】
一般的に、接合物２０の長手方向に隣接する接合物は、接合物対の間に延在する接合されていないチャネル２４を画定する接合物対を形成し得る。図１の実施形態では、横方向に延びる接合されていないチャネル２４を提供するために、複数の接合物対が横方向に延びる列に配置される。アーチ状部分１８は、横方向および長手方向３１、３２の両方に延在するストランド１６を含むため、ストランド１６のアーチ状部分１８は、複数の異なる長手方向に隣接した接合されていないチャネル２４を通って延在し得る。図１の実施例では、上部弾性ストランド左側アーチ状部分１８は、接合されていないチャネル２４ｅおよび長手方向に隣接した接合されていないチャネル２４ｄを通って延びる。このアーチ状部分１８はさらに、接合されていないチャネル２４ｄに長手方向に隣接する接合されていないチャネル２４ｃを通って延びる。このアーチ状部分１８はさらに、接合されていないチャネル２４ｂおよび２４ａを通して延びる。右側のアーチ状部分１８は、接合されていないチャネル２４ａを通って延び、次いで接合されていないチャネル２４ｂ、２４ｃ、２４ｄを通って後ろに戻り、最後に接合されていないチャネル２４ｅに戻る。上記の説明では別個のアーチ状部分１８として呼び出されるが、二つの記述されたアーチ状部分１８は、二つのアーチ状部分１８の間に直線部分が配置されていないため、単一のアーチ状部分１８とみなされ得る。
【００３９】
弾性ストランド１６が、その間に配置された少なくとも一つのアーチ状部分１８を有する複数の直線部分１９を含むいくつかの実施形態では、弾性ストランド１６は、一つまたは複数のアーチ状部分１８の前後に位置する直線部分１９に沿って、同じ第一の接合されていないチャネル２４を通って延在し得る。例えば、図１に示されるように、上部弾性ストランド１６は、直線部分１９の両方に沿って接合されていないチャネル２４ｅを通って延在する。しかしながら、他の実施形態では、弾性ストランド１６は、第一および第二の直線部分１９に沿って異なる接合されていないチャネル２４を通って延在し得る。例えば、材料１０の異なる実施形態では、ストランド１６の第一（左側）の直線部分１９は、接合されていないチャネル２４ｅを通って延びてもよく、また第二（右側）の直線部分１９は、接合されていないチャネル２４ｄ、または２４ｆ、または材料１０のその他任意の接合されていないチャネルを通って延びてもよい。
【００４０】
アーチ状部分１８に沿って、弾性ストランド１６が延びることができる長手方向に隣接した接合されていないチャネル２４の数に対する制限は実際にはない。図１に示されるストランド１６は、アーチ状部分１８に沿った五つの異なる接合されていないチャネル２４のみを通って延びるものとして描写されているが、これは任意の形態で制限すると解釈されるべきではない。ストランド１６がそのアーチ状部分１８に沿って延在し得る接合されていないチャネル２４の数は、一般に、材料１０の最終目的によって指定される設計判断であり得る。
【００４１】
さらに、弾性ストランド１６がそのアーチ状部分１８に沿って所与の接合されていないチャネル２４内に延在する必要がある接合物対の数に対する最小制限はない。例えば、図１は、チャネル２４ｂなどの、所与の接合されていないチャネルにおいてほとんどゼロの接合物対であり、チャネル２４ａなどの別の接合されていないチャネルにおいて三つの接合物対を通って延在する弾性ストランド１６を示す。ただし、これらの数値は上限と下限として表示されない。一部の好ましい実施形態では、ストランド１６は、アーチ状部分１８に沿って各接合されていないチャネル２４における、少なくとも一つ、または少なくとも二つ、または少なくとも三つ、または少なくとも四つ、または少なくとも五つの接合物対を通って延長することが望ましくてもよい。
【００４２】
アーチ状部分１８を有するストランド１６を形成するための幾つかの意図された装置およびプロセス、およびストランド破損の最小限の例を有する接合物２０を形成する方法は、本開示の図の他の点に関してより詳細に説明される。
【００４３】
ウェブ材料：
一般に、第一の材料層１２およびの外側材料層１４は、ウェストバンド、脚カフ、またはその他任意の身体接触部分、または非身体接触部分において、衣類および吸収性物品の使用に適した任意の材料で構成され得る。層１２、１４は、同一の材料または異なる材料で構成され得る。層１２、１４のそれぞれは、異なる意図された実施形態において、単一層、複数層、積層体などを含み得る。さらに、層１２、１４は、弾性材料１０を形成するために弾性ストランド１６の両側に位置付けられた二つの別個のウェブ材料を含んでもよく、または層１２、１４は、ウェブ材料の第一の部分が弾性ストランド１６の第一の辺上に位置付けられ、ウェブ材料の第二の部分が弾性ストランド１６の第二の辺上位置付けられ弾性材料１０を形成するように、折り畳まれた単一のウェブ材料を含み得る。
【００４４】
層１２、１４の例示的な適切なクラスの材料は、合成繊維（例えば、ポリエステルまたはポリプロピレン繊維）、天然繊維（例えば、木または綿繊維）、天然繊維と合成繊維の組み合わせ、多孔質フォーム、網状フォーム、開口部を備えたプラスチックフィルム、または同種のものなどを含む。適切な材料の例には、レーヨン、木、綿、ポリエステル、ポリプロピレン、ポリエチレン、ナイロン、またはその他の熱接着可能繊維、ポリプロピレンおよびポリエチレンの共重合体、直鎖低密度ポリエチレンを含むがこれらに限定されないポリオレフィン、およびポリ乳酸などの脂肪酸エステル、細かい孔の空いたフィルムウェブ、ネット材料、および同種のもの、ならびにこれらの組み合わせが含まれるがこれらに限定されない。
【００４５】
さらに、層１２、１４にさまざまな織布および不織布を使用できる。層１２、１４は、織布、不織布、ポリマーフィルム、フィルムファブリック積層体またはこれに類するもの、ならびにそれらの組み合わせを含み得る。不織布の例には、スパンボンド織物、メルトブローン織物、コフォーム織物、カーデッドウェブ、接合カーデッドウェブ、複合スパンボンド織物、スパンレース、または同種のもの、ならびにこれらの組み合わせが含まれ得る。
【００４６】
例えば、層１２、１４は、ポリオレフィン繊維のメルトブローンウェブまたはスパンボンドウェブから構成され得る。別の方法として、層１２、１４は、天然繊維および／または合成繊維から構成される接合カーデッドウェブであり得る。層１２、１４は、実質的に疎水性材料から構成されることができ、疎水性材料は、随意に界面活性剤で処理それともまたはその他の方法で処理して、所望のレベルの濡れ性および親水性を付与し得る。界面活性剤は、スプレー、印刷、はけ塗りまたは同種のものなど、任意の従来的手段で適用することができる。界面活性剤は、層１２、１４の全体に適用それともまたは層１２、１４の特定部分に選択的に適用することができる。層１２、１４に適した一部の特定の例示的材料は、５〜１５０ｇｓｍの範囲の１００％ポリプロピレン接合カーデッドウェブを含む。その他の例示的な適切な材料には、５〜１５０ｇｓｍの範囲のスパンボンドポリプロピレン不織布ウェブが含まれる。さらに他の例示的材料は、１５０ｇｓｍを超える坪量を有し得る。
【００４７】
一実施形態では、層１２、１４は、不織布の複合ウェブで構成され得る。不織布複合ウェブはスパンボンド複合ウェブまたはボンデッドカーデッド複合ウェブであり得る。複合ステープル繊維の例には、ポリエチレン／ポリプロピレン複合繊維が含まれる。この特定の複合繊維では、ポリプロピレンがコアを形成しポリエチレンが繊維のシースを形成する。本開示の範囲を逸脱することなく、マルチローブ、サイドバイサイド、またはエンドツーエンドなどのその他の配向を有する繊維を使用し得る。一実施形態では、層１２、１４は、約８〜約５０ｇｓｍの坪量でスパンボンド基材とすることができる。一実施形態では、層１２、１４は１２ｇｓｍスパンボンド−メルトブローン−スパンボンド基材とすることができる。別の実施形態では、層１２、１４は、８ｇｓｍスパンボンド−メルトブローン−スパンボンド基材であり得る。
【００４８】
弾性ストランド：
弾性ストランド１６の適切な弾性材料には、スパンデックス弾性ストランド、天然ゴムまたは合成ゴムのストランド、熱可塑性弾性材料、または熱活性化弾性材料が含まれ得るが、これらに限定されない。弾性ストランド１６は、少なくとも約５０パーセント、望ましくは約３５０パーセント伸張することができ、および約３００パーセントの伸張後に元の長さの少なくとも約２５０パーセント以内に回復可能であり、望ましくは約１５０パーセント以内に回復できる任意の弾性材料であり得る。弾性ストランド１６は、例えば、Ｅ．Ｉ．Ｄｕｐｏｎｔ  ｄｅ  Ｎｅｍｏｕｒｓ  ａｎｄ  Ｃｏ．製のＬＹＣＲＡスレッドなどの、スパンデックス弾性ストランドであり得る。また、弾性ストランド１６は、Ｊ．Ｐ．Ｓ．Ｅｌａｓｔｏｍｅｒｉｃｓ  Ｃｏｒｐ製の熱可塑性エラストマまたは天然また合成ゴムからなり得る。また、弾性ストランド１６は、Ａｔｏｃｈｅｍ，Ｉｎｃ．製のＰＥＢＡＸなどの熱活性弾性材料からなり得、弾性ストランド１６が、弾性材料１０内に配置され、接合物２０が形成された後に、熱処理で活性化され得る。少なくとも一部の実施形態では、弾性ストランドは、約１０デニール〜約１５００デニールの範囲の直径を有し得る。
【００４９】
接合物：
接合物２０は、熱／加熱接合、超音波接合、圧力接合、またはその他の公知の接合技術など、任意の適切な接合技術を通して形成され得る。一般に、以下でより詳細に説明されるように、接合物２０は、パターン構成要素および滑らかな構成要素を使用することで形成され得る。接合物２０を形成するために、層１２、１４は、その間に配置された弾性ストランド１６とともに、パターン構成要素と弾性ストランド１６の任意の特徴との間の適切な整列を有するパターン構成要素と滑らかな構成要素との間に位置付けられる。例えば、弾性ストランド１６は、パターン構成要素の隆起した突出部（例えば、接合物を形成する突出部）の間に位置付けられ得る。
【００５０】
例えば、熱接合、圧力接合、または回転式超音波接合技術が接合物２０を形成するために使用される場合、パターン構成要素および滑らかな構成要素はそれぞれパターンロールおよび滑らかなロールであり得る。こうした実施形態では、パターンロールは、パターンロールの表面から突出するいくつかの隆起部分を含み得る。隆起部分は、本開示の弾性材料の異なる実施形態に示されるように、接合物２０の形状およびパターンロールの表面上に整列されて、接合物２０の長手方向および緯度整列を生成し得る。滑らかなロールは、一般に滑らかな外表面を有する固体ロールであり得る。
【００５１】
接合物２０を形成するために使用され得る熱接合技術は、パターンロールの隆起部分を約７０℃〜約３４０℃に加熱することを含み得る。一般に、接合物が形成されたとき、加熱レベルは弾性ストランド１６の溶融をもたらす加熱未満であるべきである。隆起部分は適切な温度でありつつ、パターンロールは、層１２、１４および弾性ストランド１６がロールの間に位置付けられた状態で、滑らかなロール上に押し付けられ得る。いくつかの実施例として、接合物２０を形成するために使用される圧縮力は、約５００Ｋｐａ〜約２，７５０Ｋｐａでありえ、層１２、１４、および弾性ストランド１６は、約１００リニアメートル／分（ｍｐｍ）〜約３５０（ｍｐｍ）の間のパターンおよびアンビルロールを通過し得る。
【００５２】
接合物２０を形成するために使用され得る回転式超音波接合技術は、接合物２０を形成するために超音波エネルギーを使用し得る。例えば、層１２、１４および弾性ストランド１６が回転式超音波接合機のパターンロールと滑らかなロールの間を通過する場合、滑らかなロールは約２０，０００Ｈｚ〜約５０，０００Ｈｚの周波数で振動され、層１２、１４の内部加熱を、層１２、１４とみに溶融して接合物２０を形成する範囲であるようにする。
【００５３】
接合物２０を形成するために使用され得る圧力接合技術は、パターンロールの隆起部分に外部熱を適用する必要がないことを除いて、上述の熱接合技術と類似し得る。しかしながら、隆起部分を周囲温度でのみ補正するために、接合物２０を形成するためにパターンロールおよび滑らかなロールにかけられる圧縮力が大きく増大する必要がある。いくつかの実施例では、圧縮力は、約０．１ＫＮ〜約５ＫＮの間のニップ力を生成するためにかけられ、一方で層１２、１４および弾性ストランド１６は、約１５ｍｐｍ〜４５０ｍｐｍでパターンロールとアンビルロールの間を通過する。
【００５４】
接合物２０を形成するために使用され得る非回転式超音波接合技術では、パターン要素およびアンビル要素は、滑らかな超音波ホーンおよびパターンアンビルであり得る。こうした実施形態では、アンビル構成要素は隆起部分を有する一方、超音波ホーンは概して滑らかな表面を有する。いくつかの実施形態では、パターンアンビルは平板であってもよく、その他の実施形態では、複数のパターンアンビルは、ドラムの周囲の周りに間隙を介しており、超音波ホーンの「ストリーク」と一致するように時間合わせされ得る。さらに他の実施形態では、パターンアンビルは、ドラムの表面上に配置された隆起した突出部を有する円形ドラムを含み得る。回転式超音波技術と同様に、超音波ホーンは、層１２、１４および弾性ストランド１６が超音波ホーンとパターンアンビルの間を通過するとき、約２０，０００Ｈｚ〜約５０，０００Ｈｚの周波数で振動され得る。この超音波エネルギー印加により、層１２、１４の内部加熱を、層１２、１４が共に溶融し、接合物２０を形成する範囲に生じさせる。
【００５５】
一般に、こうした熱接合技術、超音波接合技術、および圧力接合技術は公知の技術である。異なる技術について説明したパラメータは、例示的な適切なパラメータにすぎないことが理解されるべきである。記述された技術は、当技術分野で公知の、その他の適切なパラメータで動作するこうした技術を使用して、接合物２０を形成するために使用され得る。例えば、国際出願２０１０／０６８１５０には、「ＭＥＴＨＯＤ  ＡＮＤ  ＡＰＰＡＲＡＴＵＳ  ＦＯＲ  ＢＯＮＤＩＮＧ」と題されており、これは、参照によりその全体が盛り込まれ、多くの異なるパラメータを使用して本開示に記載される接合物パターンの接合物２０を形成するために使用され得る圧力接合を実施するための方法および装置を詳述する。さらに、接合物２０が形成される異なる方法は、接合物２０の異なる強さをもたらす可能性があることは別として、結果として得られる弾性材料の構造には明確に影響を与えない。しかしながら、こうした公知の技術の全ては、接合物２０が破壊することなく接合物２０間に位置付けられた弾性ストランドの拡張に抵抗するのに十分強い接合物を生成することができる。従って、接合物２０は、本開示の範囲から逸脱することなく、任意の公知の接合技術に従って形成され得る。
【００５６】
一般に、本開示の弾性材料１０の接合物２０は、任意の適切なサイズまたは形状を有し得る。しかしながら、少なくとも一部の実施形態では、接合物２０は、約５０平方マイクロメートル〜約２０平方ミリメートル、または約７０平方マイクロメートル〜約１０平方ミリメートル、または約２５０平方マイクロメートル〜約５平方ミリメートルの範囲の面積を持ち得る。さらに、一部の実施形態では、弾性ストランド１６に対して一般に平行な方向における接合物２０の寸法、例えば、横方向長さ寸法４２は、弾性ストランド１６に概して垂直な接合物２０の寸法、例えば、長手方向の高さ寸法４４の約二倍〜約六倍であり得る。例えば、図３Ａの実施形態では、接合物２０の横方向に延びる部分（例えば、部分３４、３６）の横方向の長さは、接合物２０の長手方向に延びる部分（例えば、部分３５、３７）の長手方向の高さより約二倍〜約六倍大きくてもよい。
【００５７】
さらに、当然のことながら、接合物は一般に任意の長手方向および／または横方向の間隔を有し得る。例えば、図３Ａの２０ａおよび２０ｂ、または２０ａおよび２０ｃなど、接合物２０の長手方向に隣接する接合物の長手方向の間隔は、弾性ストランド１６が長手方向に隣接する接合物の間に配置されているかどうかに依存して変化し得る。いくつかの実施形態では、長手方向距離２５で表されるように、長手方向に隣接する接合物２０ａおよび２０ｂの間の長手方向の間隔は、弾性ストランド１６が接合物２０ａ、２０ｃの間に配置されない長手方向距離２６で表されるように、長手方向に隣接する接合物２０ａおよび２０ｃの間の長手方向の間隔よりも短くてもよく。一例として、長手方向距離２５は、弾性ストランド１６の非張力の直径よりも小さくてもよく、一方で長手方向距離２６は、材料１０の任意の弾性ストランド１６の非張力の直径よりも大きい間隔を含む任意の適切な長手方向の間隔を有し得る。こうした実施形態は、弾性ストランド１６が閉じ込められていない材料１０の領域におけるよりまばらな接合物パターンを許容し得る。しかし、さらなる実施形態では、長手方向距離２５、２６は、弾性ストランド１６が接合物２０ａ、２０ｂの間に延びるが、弾性ストランド１６が接合物２０ａ、２０ｃの間に延びない場合であっても同じであり得る。一部の例証的な実施例として、弾性ストランド１６が間に延びない長手方向に隣接する接合物２０（接合物２０ａ、２０ｃなど）の間の長手方向距離は、約１ｍｍ〜約５００ｍｍの間で変化し得る。
【００５８】
接合物２０の横方向に隣接した接合物間の横方向の間隔は、材料１０全体で同一であってもよく、または変化し得る。例えば、いくつかの実施形態では、横方向距離３８によって表されるように、弾性ストランド１６に隣接して位置する横方向に隣接した接合物２０（例えば、接合物２０ａ、２０ｄ）の間の横方向の間隔は、横方向距離３９によって表されるように、弾性ストランド１６に隣接して位置しない横方向に隣接した接合物２０（例えば、接合物２０ｃ、２０ｅ）間の横方向の間隔より小さくてもよい。その他の実施形態では、横方向距離３８および３９は同一であり得る。さらに、一部の実施形態では、横方向に隣接した接合物２０間の横方向の間隔は、弾性ストランド１６に隣接していない横方向に隣接した接合物２０の対の間でさえも変化し得る。例えば、衣服または吸収性物品で使用される時、接合物２０の横方向の間隔は、所望のパターンまたは柔軟性を材料に与えるために、衣類または物品の異なる領域全体にわたって変化し得る。一部の非限定的な例として、接合物２０の横方向に隣接した接合物間の横方向の間隔は、約１ｍｍ〜約５００ｍｍで変化し得る。
【００５９】
図３Ａは、接合物２０の追加的な特徴を詳述する。例えば、接合物２０はそれぞれ、上部分３４、上部分３４の反対側の底部分３６、第一の辺部３５、および第一の辺部３５の反対側の第二の辺部３７を含み得る。図示した通り、少なくとも一部の実施形態では、接合物２０の第一の辺部３５は、弾性ストランド１６に対して傾斜している。例えば、接合物２０ａの第一の辺部３５は、弾性ストランド１６の横軸２８に対して角度４０を形成することができる。接合物２０の第一の辺部３５の角度は、材料１０に望ましい伸張特性を提供することができ、材料１０の製造に有益であり得る。こうした実施形態では、角度４０は、約１度〜約１７９度の範囲であり得る。一部のより具体的な実施形態では、角度４０は、約１５度〜約９０度、または約３０度〜約８９度、または約５０度〜約８８度の範囲であり得る。その他の実施形態では、角度４０は、約１０５度〜約１８０度、または約１２０度〜約１７９度、または約１４０度〜約１７８度の範囲であり得る。
【００６０】
さらに図３Ａでわかる通り、少なくとも一部の実施形態では、接合物２０の横方向に隣接した接合物の上部分３４および底部分３６は一般に整列し得る。しかし、その他の実施形態では、横方向に隣接した接合物の上部分３４および底部分３６は一般に整列しない場合があり代わりにずらされたパターンを形成し得る。
【００６１】
一般に長方形として示されるが、より具体的には平行四辺形として示されるが、接合物２０は任意の適切な形状であり得る。図３Ｂおよび図３Ｃは、本開示によって意図される代替的な形状の接合物２０を描写するものであり、円および正方形、特に正方形である。しかし、さらに意図された実施形態では、接合物２０は、半円形、楕円形、半楕円形、三角形、正方形、長方形、台形、菱形、またはこれに類するものであり得る。いくつかの実施形態では、接合物２０は、三つの辺、四つの辺、五つの辺、六つの辺、またはその他任意の適切な数の辺を有し得る。
【００６２】
図４は、図１の材料１０の接合物２０のパターンよりも接合物２０の異なるパターンを持つ本開示の代替的な弾性材料１０’を示す。図４でわかるように、異なる接合物２０は、横方向３２に対して形成される異なる角度を持ち得る。上部シート縁部１１から底部シート縁部１３に移動して、接合物の第一のグループ内の接合物２０、接合物グループ４１は、それぞれ、横方向３２に対して第一の角度４０を形成することができる。一方、接合物の第二のグループ内の接合物２０、接合物グループ４３は、接合物グループ４１に横方向に隣接しているが、各々は、横方向３２に対して第二の異なる角度４０’を形成し得る。接合物グループ４１、４３のそれぞれは、四つの個別の接合物２０を含むとして示されているが、接合物グループ内にあり得る接合物２０の数に実際の制限がないことを理解するべきである。グループ４１、４３などの接合物グループ内の接合物２０の数は、例えば、一つ程度に少なくまたは１０００ほどに多いように、任意の適切な数であり得る。
【００６３】
このパターンは、底部シート縁部１３に反復され得る。これらの実施形態のいくつかでは、接合物グループ４１、４３内の接合物によって形成される異なる角度４０は、第二の接合物グループ４３の接合物２０のそれぞれによって形成される角度４０’が１８０度から第一の接合物グループ４１の接合物２０によって形成される角度４０の値を引くように（または、第一の接合物グループ４１の接合物２０によって形成される角度４０が、第二の接合物グループ４３の接合物２０によって形成される角度４０’よりも大きい場合、逆もまた同様）長手方向３１に関して互いに鏡映し得る。図４に示すような接合物２０のこうしたパターンは、対称的な伸張特性を持つなど、有益な伸張特性を持つ材料１０’を提供し得る。
【００６４】
図１および図４に示す材料１０、１０’の接合物２０は、本開示の範囲を制限するものと解釈されないことを理解すべきである。むしろ、概して湾曲した形状を形成する弾性ストランド１６を有する弾性材料を製造するために、本開示と組み合わせて接合物２０の任意のパターンを使用し得る。例えば、その全体が参照により本明細書に組み込まれる、２０１７年４月２７日に出願され、「ＥＬＡＳＴＩＣＡＴＥＤ  ＭＡＴＥＲＩＡＬＳ  ＷＩＴＨ  ＤＩＲＥＣＴＩＯＮＡＬ  ＳＴＲＥＴＣＨ  ＰＲＯＰＥＲＴＩＥＳ」と題された国際出願ＵＳ２０１７／０２９８４５は、接合物パターンを詳述し、これらは全て、本開示の詳細とともに使用して、概して湾曲した形状を形成する弾性ストランドを有する弾性材料を形成する。
【００６５】
図５は、本開示による弾性材料を形成するための例示的プロセス１００を実施するための装置の概略図である。プロセス１００によると、第一の材料層１２は、縦方向１３２で、第二の材料層１４に沿って接合要素５２および５４の間に供給される。一つまたは複数の弾性ストランド１６はまた、要素５２、５４の間に供給され、層１２、１４の間に配置される。
【００６６】
図５の実施形態では、接合要素５２は滑らかなロールを表し、接合ニップ５６を形成する隣接する接合要素５４を示す。接合要素５４は、形成された弾性材料１０の所望の接合物パターンに対応するパターンを形成する隆起した突出部を含むパターンロールを表す。材料の層１２、１４および弾性ストランド１６の層は、少なくとも接合ニップ５６で結合されてもよく、第一の材料層１２は、第二の材料層１４に接合され、弾性ストランド１６は接合要素５２、５４によって間に配置される。接合要素５２、５４によって用いられる接合タイプは、接合物２０の詳細、接合物２０の形成に関連して前述した接合タイプのいずれか、またはその他任意の適切な接合タイプの接合であり得る。もちろん、接合物２０が異なる接合モダリティに従い形成される実施形態では、接合要素５２、５４は、特定の雪像モダリティによって必要とされるロールでなくてもよい。例えば、接合要素５２は、接合要素５４が非回転超音波接合モダリティを用いるパターン付き回転アンビル要素を含む一方で、滑らかな非回転超音波要素を含み得る。
【００６７】
プロセス１００によると、弾性ストランド１６の一つまたは複数は、振動装置５７によって機械幅方向１３１で接合要素５４の面全体にわたってさらに振動され得る。振動装置５７は、振動する弾性ストランドに一般的に使用される任意の従来的な装置を含み得る。一つまたは複数の弾性ストランド１６のこの振動は、一つまたは複数のストランド１６の一つまたは複数のアーチ状部分１８を形成し、一旦材料１２が材料１４に接合されると、部分１８の概してアーチ形状が定位置に保持される。
【００６８】
一つまたは複数の弾性ストランド１６の概してアーチ状または湾曲した形状を形成するための一つの課題は、一つまたは複数の弾性ストランド１６の振動が一つまたは複数の弾性ストランド１６を接合要素５４の隆起した突出部にわたって横断することである。一つまたは複数の弾性ストランド１６のいずれかが、ニップ５６で接合要素５４の隆起した突出部を越えて横断する場合、隆起した突出部は、接合要素５２に対して一つまたは複数の弾性ストランド１６を圧縮して、および一つまたは複数の弾性ストランド１６を破壊またはその他の方法で損傷し得る。このように、概して湾曲した形状を有する弾性ストランドで弾性材料を形成することは、概して直線的に延びる弾性ストランドで弾性材料を形成するよりも難しい。なぜなら、後者の材料では、弾性ストランドは、接合ニップ５６の前に、隆起した突出部の間でより容易に整列する可能性があるためである。
【００６９】
プロセス１００内の弾性ストランド１６への破損または損傷の頻度を減少させるための一つのオプションは、弾性材料内に閉じ込め領域および非閉じ込め領域を形成する接合物パターンを使用することである。こうした実施形態では、発振器５７は、弾性材料の非閉じ込め領域を形成するパターンを持つ隆起した突出部を含む接合要素５４の部分内にアーチ状部分１８を整列するように、一つまたは複数の弾性ストランド１６を振動させるように構成され得る。非閉じ込め領域は、一般に、閉じ込め領域の平均接合面積よりも低い平均接合面積を持ち得る。低い平均接合面積は、接合プロセス１００の間に接合物２０が形成されるにつれて、弾性ストランドが接合要素５４の隆起した突出部と整列するための機会が少ないことを意味する。従って、こうした実施形態では、接合物２０の形成の間のストランド１６の破損の機会が少ない。
【００７０】
図１〜図４の弾性材料１０および１０’は、一つまたは複数の弾性ストランド１６がアーチ状部分１８を持ち、接合物２０がそのアーチ状部分１８に沿って、またそれらの直線部分１９に沿って一つまたは複数の弾性ストランド１６を閉じ込める接合されていないチャネル２４を形成する実施形態を描写するものである。すなわち、ストランド１６のアーチ状部分１８（および直線部分１９）に沿って配置される接合物２０は、それらのアーチ状部分１８に沿ったストランド１６の両側に配置された接合物２０の対が、弾性ストランド１６の非張力の直径よりも小さい距離だけ離間して配置される。上述のように、こうした材料１０、１０’は、製造中にストランド１６の破損により、特に高速で製造するのが特に困難であり得る。
【００７１】
図６〜図１２は、非閉じ込め領域１１８および閉じ込め領域１１９の両方を持つ弾性材料を含む本開示のその他の意図された実施形態を描写するもので、非閉じ込め領域１１８は一つまたは複数の弾性ストランド１６のアーチ状部分１８と整列されている。こうした実施形態は、異なる実施形態に関して以下でより詳細に説明されるように、製造が比較的容易でおよび／または非閉じ込め領域１１８内のより低い平均接合面積により製造の間、ストランド１６の破損がより少なくなり得る。低い平均接合面積は、非閉じ込め領域１１８内の所定のセクション内で、所定のセクションの総面積に対する接合面積（例えば、第一の層１２を第二の層１４に接合する）の合計量の比率は、閉じ込め領域１１９内に配置された同じサイズのセクション内の総面積に対する接合面積の総量の比率よりも小さくなるという事実を示す。
【００７２】
一例として、図６は、アーチ状部分１８を有する弾性ストランド１６を含む例示的な弾性材料２００を示す。例示的材料１０、１０’のように、材料２００の弾性ストランド１６は、アーチ状部分１８と直線部分１９の両方を含む。しかし、材料１０、１０’とは異なり、弾性ストランド１６のアーチ状部分１８は、非閉じ込め領域１１８を通って延びる。非閉じ込め領域１１８内の接合物は、接合物２０１として標識され、接合物２０１は、閉じ込め領域１１９に配置される接合物２０とは異なるサイズを持つ。より具体的には、図６に示すように、接合物２０１の長手方向の高さ２０９は、接合物２０の長手方向の高さ（例えば、図３Ａに示す高さ４４）より小さくてもよい。図示されるように、これにより、（図３Ａに示す）接合物２０の長手方向に隣接する接合物の長手方向の間隔２５よりも、長手方向の間隔２０７によって着目される、接合物２０１の長手方向に隣接する接合物間のより大きな長手方向の間隔が生成される。従って、弾性材料２００と類似したものとしてこうした実施形態では、長手方向の間隔２０７は、弾性ストランド１６の非張力の直径よりも大きくてもよい。このように、接合物２０１を含む非閉じ込め領域１１８は、それらのアーチ状部分１８に沿った弾性ストランド１６の閉じ込めを許容しなくてもよい。
【００７３】
非閉じ込め領域１１８は、接合物２０よりもサイズ異なる接合物２０１を含む材料２００の領域として定義されてもよく、接合物２０１の異なるサイズは、接合物２０１がストランド１６の閉じ込めを許容しないように、長手方向に隣接する接合物２０１の間の長手方向の間隔２０７をもたらす。逆に、閉じ込め領域１１９は、接合物２０は、ストランド１６の閉じ込めを許容する長手方向に隣接する接合物２０間の長手方向の間隔２５を含む材料２００の領域として定義され得る。
【００７４】
材料２００のより小さい寸法の接合物２０１は、製造時に弾性ストランド１６の破損を防止するのに役立ち得る。例えば、接合物２０１の小さめの接合物寸法の効果は、ストランド１６が概してアーチ状に延びることができる材料２００の非閉じ込め領域１１８内の比較的小さな平均接合面積をもたらす。これは、ストランド１６が概して直線的に延びる材料１０、１０’の領域の比較的大きな平均接合面積とは対照的である。いくつかの実施形態では、閉じ込め領域１１９における材料２００の平均接合面積は、約５％〜約４０％、または約５％〜約２０％、または約１０％〜約２０％であり得る。非閉じ込め領域における材料２００の平均接合面積は、約１％〜約１０％であり得る。非閉じ込め領域１１８のより小さい平均接合面積は、ストランド１６および接合物２０１を形成する接合要素５４の隆起した突出部が接合物２０１の形成の間に整列する可能性が低くなることをもたらす。従って、層１２および１４を接合するプロセスがストランド１６の破損をもたらす可能性が少ない。
【００７５】
本開示の材料を定義する別の方法は、横方向領域によるものである。例えば、図６の材料２００は、横方向領域１２８および１２９などの別々の横方向領域に長手方向の線で分割され得る。横方向領域１２９は、領域１２９内の弾性ストランドが閉じ込められる閉じ込め領域であってもよく、一方で横方向領域１２８は、弾性ストランドが閉じ込められていない（または少なくとも領域１２８内のその長さの大部分に沿って閉じ込められていない）非閉じ込め領域であり得る。こうした実施形態では、各領域１２８、１２９内の平均接合面積は、上述のとおり異なってもよい。一般に、非閉じ込め領域１２８内の平均接合面積は、閉じ込め領域１２９内の平均接合面積より小さくてもよい。閉じ込め領域１２９の平均接合面積は、約５％〜約４０％、または約５％〜約２０％、または約１０％〜約２０％であり得る。非閉じ込め領域１２８の平均接合面積は、約１％〜約１０％であり得る。
【００７６】
図６の材料２００を参照し、一つまたは複数の弾性ストランド１６は、材料２００の非閉じ込め領域１１８内に閉じ込められていないが、接合物２０１は、非閉じ込め領域１１８内でのストランド１６の概してアーチ形状または湾曲した形状を維持する。例えば、材料２００は、張力下のストランド１６で形成される。材料２００が弛緩することが許容される時、ストランド１６は収縮し、接合物２０１を押し、それによってストランド１６の所望の概してアーチ状または湾曲した形状を維持し、材料２００に望ましい伸張特性を与える。
【００７７】
図６における材料２００の実施形態は、閉じ込め領域１１９内の横方向に隣接した接合物２０と一般に整列するように、非閉じ込め領域１１８の接合物２０１を示す。例えば、接合物２０１および接合物２０の上部分３４は、接合物２０１、２０の横方向に隣接した接合物間に一般に整列する。これは、記載された材料１０、１０’における接合物２０の整列と類似している。しかしながら、接合物２０１、２０は、全ての意図された実施形態において、このように整列する必要はない。例えば、図７は、概してアーチ状または湾曲した形状を有する一つまたは複数の弾性ストランド１６を含む、別の例示的材料、材料２００’を示す。しかしながら、図７の実施形態では、非閉じ込め領域１１８の接合物２０１は、材料１０、１０’、および２００のように、閉じ込め領域１１９内の横方向に隣接した接合物２０と整列しない。図示されるように、接合物２０１の上部分３４は、材料２００’の実施形態において、横方向に隣接した接合物２０の上部分３４と整列しない。代わりに、接合物２０１は、横方向に隣接した接合物２０の上部分３４と底部分３６の間の長手方向３１において一般に中心がくるように配置される。
【００７８】
さらなる実施形態は、一つまたは複数の弾性ストランドが、非閉じ込め領域内の接合物間に閉じ込められることなく、概してアーチ状または湾曲した形状の弾性材料の非閉じ込め領域を通って延びる本開示によって意図される。例えば、非閉じ込め領域の外側の接合物と寸法が異なる非閉じ込め領域内の接合物の代わりに、非閉じ込め領域内の接合物間の間隔は、非閉じ込め領域外の接合物間の間隔とは異なる本開示の追加の弾性材料が考えられる。
【００７９】
図８および図９は、本開示の態様による、追加的な例示的な材料３００、３００’をそれぞれ示す。例示的材料３００、３００’は、非閉じ込め領域１１８内の接合物が、例えば、閉じ込め領域１１９内などの非閉じ込め領域１１８の外側にある接合物よりも異なる間隔を持つ、弾性材料の実施形態を描写する。例えば、図８の実施形態では、非閉じ込め領域１１８内および非閉じ込め領域１１８の外側の接合物２０は、概して同一のサイズおよび形状を持つが、非閉じ込め領域１１８内の接合物２０は、非閉じ込め領域１１８の外側の接合物２０の間の長手方向の間隔２５より大きい長手方向に隣接する接合物２０の間の長手方向の間隔３０５を持つ。一般に、長手方向の間隔３０５は、非閉じ込め領域１１８内でのストランド１６の閉じ込めを許容しないように、弾性ストランド１６の非張力の直径よりも大きい。図８の実施形態では、非閉じ込め領域１１８は、増大した長手方向の接合物間隔３０５を形成するために、全ての他の長手方向に隣接する接合物２０を取り外すことにより形成される。ここでも、こうした実施形態では、非閉じ込め領域１１８内の平均接合面積は、ストランド１６が概してアーチ状に延びる材料１０、１０’の領域の平均接合面積よりも一般に、小さい。増加した長手方向の間隔３０５は、材料１０または１０’の形成に対する材料３００の形成の間の弾性ストランド１６の破損の数を減少させるのに役立ち得る。
【００８０】
しかしながら、その他の実施形態は、非閉じ込め領域内の接合物と非閉じ込め領域外の接合物との間の類似した接合物サイズを維持しながら、非閉じ込め領域内での平均接合面積を減少させることを達成し得る。例えば、図９は、一般に非閉じ込め領域１１８の外側、例えば閉じ込め領域１１９の接合物２０と同じサイズである接合物２０を含む非閉じ込め領域１１８を含む例示的材料３００’を示す。しかし、材料３００’の実施形態では、非閉じ込め領域１１８内の接合物２０のその他の全ての横方向に隣接した接合物が欠如している。さらに、各列における接合物２０の第一の欠如した接合物は、非閉じ込め領域１１８内の長手方向に隣接する接合物２０の間の長手方向の間隔が、閉じ込め領域１１９内の長手方向に隣接する接合物２０の間の長手方向の間隔より長いように、長手方向に隣接した列の間に交互になる。
【００８１】
材料３００のように、材料３００’の非閉じ込め領域１１８内の長手方向に隣接する接合物２０の間の長手方向の間隔３０５は、閉じ込め領域１１９内の長手方向に隣接する接合物２０の間の長手方向の間隔２５とは異なり得る。一般に、長手方向の間隔３０５は間隔２５よりも大きく、より具体的には、非閉じ込め領域１１８内でのストランド１６の閉じ込めを許容しないように、弾性ストランド１６の非張力の直径より大きい。図８の実施形態と同様に、図９の弾性材料３００’は、ストランド１６が概してアーチ状に延在する材料１０、１０’の領域の平均接合面積に対して、非閉じ込め領域１１８内の減少した平均接合面積も持つ。
【００８２】
もちろん、さらに意図された実施形態では、素材２００と２００’のように弾性材料の非閉じ込め領域内の接合物は、非閉じ込め領域外の接合物よりもサイズが小さくてもよい。そしてまた、材料３００および３００’のように非閉じ込め領域内の長手方向に隣接する接合物間の長手方向の間隔が比較的大きくてもよい。さらに、非閉じ込め領域内および非閉じ込め領域の外側の接合物の特定の形状も異なってもよいことを理解すべきである。図１０および図１１は、これらの態様によるさらなる例示的な弾性材料４００および４００’をそれぞれ描写する。
【００８３】
図１０の弾性材料４００は、非閉じ込め領域１１８内の接合物４０１と非閉じ込め領域１１８の外側の接合物２０との間の主な違いが接合物サイズであるという点で、弾性材料２００’に類似している。しかしながら、図１０の実施形態では、接合物４０１の形状は接合物２０の形状とも異なる。接合物４０１は概して円形で示されているが、接合物４０１は任意の適切な形状であり得る。図１１の弾性材料４００’は、非閉じ込め領域１１８内の長手方向に隣接する接合物４０１の長手方向の間隔が、非閉じ込め領域１１８の外側の長手方向に隣接する接合物２０の長手方向の間隔と異なるという点で弾性材料３００’と類似している。接合物４０１はまた、接合物２０よりも小さい。さらに、非閉じ込め領域１１８内の図１１の実施形態における接合物４０１の形状は、非閉じ込め領域１１８の外側の接合物２０の形状とも異なる。接合物４０１は概して円形で示されているが、接合物４０１は任意の適切な形状であり得る。
【００８４】
図１２および図１３は、本開示の態様によるさらなる例示的な弾性材料、材料５００、５００’を描写するものである。こうした材料５００、５００’は、弾性ストランド１６がそれらのアーチ状部分１８に沿って閉じ込められ得るという点で、材料２００および２００’と類似し得る。しかし、材料２００、２００’とは異なり、材料５００は、ストランド１６のアーチ状部分１８に沿ってストランド１６を閉じ込める接合物２０のみを含んでもよい。例えば、図１２で見ることができるように、上部ストランド１６は、図１のように、接合されていないチャネル２４ｅ、２４ｄ、２４ｃ、および２４ｂを通って延在し得る。しかし、図１２の実施形態では、それを通ってストランド１６のアーチ状部分１８が延びていない接合されていないチャネル２４ｅ、２４ｄ、２４ｃ、および２４ｂの部分を形成する接合物２０は取り除かれる。いくつかの実施形態では、弾性ストランド１６に長手方向に隣接する接合されていないチャネルの部分を形成する接合物２０を取り除くことができる。例えば、図１２の上部弾性ストランド１６が接合されていないチャネル２４ｃを通って延在するところで、（長手方向に隣接した）接合されていないチャネル２４ｂおよび２４ｄを形成する接合物が取り除かれている。このように、接合されていないチャネル２４ｂ、２４ｄは、それが接合されていないチャネル２４ｃを通って延在する上部弾性ストランド１６に長手方向に隣接する材料５００の領域に存在しない。さらなる実施形態において、接合物２０は、弾性ストランド１６のアーチ状部分１８が延びる接合されていないチャネルに、二つの最も近い長手方向に隣接した（例えば、上二つおよび下二つ）接合されていないチャネルを形成する結合を取り除くことができる。さらなる実施形態において、最も近い３から５０の長手方向に隣接した接合されていないチャネルを形成する接合物２０を取り外し得る。
【００８５】
こうした実施形態の一つの利点は、ストランド１６のアーチ状部分１８を包含する領域における材料５００の平均接合面積が、ストランド１６のアーチ状部分１８を包含する領域の外側の材料５００の平均接合面積よりも低いことである。これらの実施形態では、製造時に弾性ストランド１６のうちの一つまたは複数が破壊されるか、またはその他の方法で損傷される可能性が少ない場合がある。例えば、ストランド１６が、ストランド１６のアーチ状部分１８が延びる所望の接合されていないチャネルを形成する接合物２０を形成する接合要素５４の突出部の間の領域に定着しなかった場合、ストランド１６の一つが接合要素５４の突出部と整列する可能性が少なくなり得る。
【００８６】
図１３の実施形態では、弾性材料５００’のストランド１６も、アーチ状部分１８に沿って閉じ込められる。しかし、弾性材料５００’は、ストランド１６のアーチ状部分１８を包含する材料５００’の領域内の異なる接合物パターンを含む。例えば、長手方向に隣接した接合されていないチャネルの部分を形成する接合物２０を除去する代わりに、材料５００’の接合物２０は、弾性ストランド１６が延びることができる連続的なアーチ状の接合されていないチャネルを形成する。図１３の実施形態では、上部ストランド１６は、接合されていないチャネル２４ｅを通って延在し、次いで接合されていないチャネル２４ｄを通って延在することがわかる。接合されていないチャネル２４ｄがそれを通ってストランド１６が延在するアーチ状の経路を形成するように、ストランド１６のアーチ状部分１８を包含する材料５００’の領域内の横方向に隣接した接合物２０は、わずかな長手方向のオフセットを有するように示されている。同様に、図１３の底部ストランド１６は、接合されていないチャネル２４ｉおよび接合されていないチャネル２４ｈを通って延び、底部ストランド１６が延びるアーチ状の経路を形成するよう示されている。
【００８７】
アーチ状の接合されていないチャネルを形成する横方向に隣接した接合物２０は、約５％〜約１００％、または約５％〜約７５％、または約５％〜約５０％の任意の長手方向のオフセットを持ち得る。これらの横方向のオフセット番号は、横方向に隣接した接合物２０が長手方向３１でオフセットされ得る距離の範囲を表す。すなわち、横方向に隣接した接合物２０が横方向３２に互いに完全に重なり合う代わりに、接合物２０は、記載の割合だけ横方向に隣接した接合物２０に対して長手方向に上下にシフトすることができる。ここで、記載された割合は、接合物２０の高さ寸法の割合を表す（例えば、高さ４４または２０９など）。
【００８８】
ストランド１６のアーチ状部分１８を包含する材料５００’の領域における異なる接合物パターンにより、この領域内の平均接合面積は、ストランド１６のアーチ状部分１８を包含しない材料５００’の領域よりも少なくてもよい。従って、弾性材料５００と同様に、例えば、一つまたは複数のスタンドが振動している間、一つまたは複数のストランド１６が、接合要素の一つにある突出部間の領域と整列しなかった場合、一つまたは複数の弾性ストランド１６が製造中に破壊されるか、さもなければ損傷を受ける可能性が低くなる。
【００８９】
もちろん、弾性ストランド１６のアーチ状部分１８が延びる接合されていないチャネルが示され、ストランド１６を閉じ込めているとして図１２および１３に記述されているが、これは全ての実施形態の場合に当てはまらなくてもよい。材料５００および５００’のいくつかの実施形態では、接合物２０はアーチ状部分１８に沿ってストランド１６の両側に配置されてもよく、また弾性ストランド１６の非張力の直径よりも大きい距離だけ離間し得る。こうした実施形態は、ストランド１６が製造中に破損またはその他の方法で損傷する可能性が低いため有利であり得る。例えば、接合物２０を形成する突出部の前に接合要素５４の突出部の間に位置する比較的大きな空間の間でストランド１６のアーチ状部分１８が安定しやすくあり得る。
【００９０】
閉じ込め領域１１９および非閉じ込め領域１１８を持つ弾性材料を形成するために接合物パターンを調整する代わりに、製造時のストランド１６の破損を最小化するのにも役立つプロセス１００に対する調整を行うことができ得る。例えば、図１４および１５は、本開示による弾性材料を形成するためのプロセス１００’および１００’’を実施するための代替的な例示的装置を描写するものである。
【００９１】
プロセス１００’は、図５に関連して説明したプロセス１００と類似している。しかし、プロセス１００’は、接合要素５４を接合ニップ５６の前に一つまたは複数の弾性ストランド１６と接触させるステップをさらに含む。図１４でわかるように、一つまたは複数の弾性ストランド１６は、接合要素５４の周囲に配置された接触点５１で接合要素５４に接触する。本明細書で使用される場合、「接触」という用語は、物理的接触のみに限定されない。代わりに、「接触」という用語は、第一の構成要素が、第一の構成要素と第二の構成要素との間の直接的な接触を阻止する一つまたは複数の介在層で第二の構成要素に対して押される状態を含む。例えば、上記の例では、一つまたは複数の弾性ストランド１６は、第二の材料層が一つまたは複数の弾性ストランド１６と接合要素５４との間に配置されるため、接合要素５４に直接接触しない。しかしながら、本明細書で使用される場合、一つまたは複数の弾性ストランド１６は、依然として接合要素５４と接触していると考えられる。
【００９２】
一つまたは複数の弾性ストランド１６は、接合ニップ５６と一致する接合要素５４の周囲の接触点５１と接触点５３の間に延びる距離５５について接合要素５４の周りを包む。従って、距離５５は円周距離を表し得る。接合ニップ５６において一つまたは複数の弾性ストランド１６の破損の発生を低くするために、距離５５は、接合要素５４の周囲の約５％〜約７５％であるべきである。その他の実施形態では、距離５５は、接合要素５４の周囲の約５％〜約５０％、または約５％〜約４５％、または約１０％〜約４０％、または約１５％〜約３５％、または約２０％〜約３０％であるべきである。
【００９３】
接合要素５４を接合ニップ５６の前の距離５５にたいしその周囲に沿って接触させることによって、一つまたは複数の弾性ストランド１６は、接合ニップ５６に達する前に接合要素５４の隆起した突出部の間の領域に安定することができる。従って、一つまたは複数の弾性ストランド１６は、接合ニップ５６に達すると、隆起した突出部の間に配置されるため、一つまたは複数の弾性ストランド１６は、第一の層１２の第二の層１４への接合の間、接合要素５４の突出部によって破壊される危険性はない。
【００９４】
図１５は、プロセス１００’’を実施するための代替的装置である。図１５に図示した装置は、接合要素５２および５４を含む、図１２に示す装置と類似している。しかし、図１３に示す装置はさらに、案内要素５９を含む。案内要素５９は、接合要素５４に隣接して配置され、案内ニップ５８を形成する。図１３の特定の実施形態では、案内要素５９は案内ロールである。案内要素５９は、接合ニップ５６の前の第二の層１４と一つまたは複数の弾性ストランド１６と接合要素５４との間の接触を確実にするのに役立つ。案内要素５９は、案内ニップ５８が接合ニップ５６から離れて周囲距離５５に配置されるように、接合要素５４に対して位置付けられ得る。図１５に示すとおり、代替的な実施形態において、第一の材料層１２は、第二の材料層１４および一つまたは複数の弾性ストランド１６と同様に案内ニップ５６を通して延びるように位置付けられ得る。
【００９５】
上記の任意の実施形態は、任意の組み合わせの他の記述された実施形態と組み合わせてもよいことが理解されるべきである。例えば、図１１は、非閉じ込め領域１１８内の接合物４０１が、接合物２０よりも小さいサイズを有する接合物４０１とともに閉じ込め領域１１９内の長手方向に隣接する接合物２０間の長手方向の間隔とは異なる（より大きい）長手方向に隣接する接合物４０１間の長手方向の間隔を有する材料２００’および３００’の特徴を組み合わせた例示的な弾性材料４００’を示した。弾性材料４００’は、記述されたプロセス１００、１００’、または１００’’のいずれかに従って作製され得る。本開示のいくつかの実施形態では、意図された弾性材料は本明細書に記載の任意の接合物パターン、または任意の他の適切な接合物パターンを持ち、プロセス１００、１００’、または１００’’のいずれか一つに従って作製され得る。非閉じ込め領域１１８を含む接合物パターンは、アーチ状部分を有する弾性ストランドを有する弾性材料を製造しやすくするのに有用であると説明されたが、この開示では、プロセス１００’または１００’’に従ってそのような接合物パターンが形成されるのを防ぐと解釈されるべきではない。両方とも、アーチ状部分を備えた弾性ストランドを有する弾性材料の製造を容易にするのに役立つと説明されている。
【００９６】
もちろん、上述の弾性材料のいずれも、さまざまな異なる衣類および吸収性物品内で使用され得る。例えば、開示された弾性材料は、衣服または吸収性物品のウェストバンドまたはウェストパネルの少なくとも一部分、または衣類または吸収性物品の弾性脚カフの少なくとも一部分を形成し得る。開示された材料は、吸収性物品の封じ込めフラップの一部、または吸収性物品のサージおよび／または分配層の一部として、吸収性物品の吸収性コア内のような、吸収性物品のその他の部分内で使用され得る。
【００９７】
図１６は、ウェストバンド、脚カフおよび封じ込めフラップの一部としての弾性材料を含む例示的な吸収性物品５００を図示する。図１６の実施形態は、機械幅方向（ＣＤ）プロセスと一般的に呼ばれるものにおいて製造される吸収性物品を含む吸収性物品５００を図示する。しかしながら、本開示の趣旨および範囲から逸脱することなく、縦方向（ＭＤ）プロセスで製造される他の吸収性物品は、本開示による弾性材料を含み得ることが理解されるべきである。
【００９８】
吸収性物品５００は、吸収性物品５００が、前部ウェスト縁部５０１を有する前部ウェストパネル５０２と、後部ウェスト縁部５０３を有する後部ウェストパネル５０４と、前部ウェストパネル５０２と後部ウェストパネル５０４との間に伸張する吸収性パネル５０９とを有する、シャシー５０６を含む、三片構造を含み得る。吸収性パネル５０９は一般に、吸収体５０８を含み得る。
【００９９】
いくつかの実施形態では、吸収性パネル５０９は、第一横側縁部５０５および第二横側縁部５０７を有してもよく、前部ウェストパネル５０２および後部ウェストパネル５０４に重なり得る。吸収性パネル５０９は、前部ウェストパネル５０２および後部ウェストパネル５０４に接着されて、三片構造を画定することができる。しかしながら、吸収性物品は、三片構造衣類でないＣＤプロセスで製造できることが意図されており、これはまた、体側のライナーおよび／または外側カバーなどウェストパネルを形成する通常接続された構成要素によって、前部ウェストパネル５０２および後部ウェストパネル５０４が統合されるので、ときどき、一片構造（図示せず）と称される。外側カバーは吸収性パネル５０９を包み、または吸収性パネル５０９の衣類側を単にカバーする。
【０１００】
前部ウェストパネル５０２および後部ウェストパネル５０４は一般に、少なくとも二つの材料の層の間に配置された弾性ストランド５１６を含み得る。例えば、前部ウェストパネル５０２および後部ウェストパネル５０４は、本明細書で説明したものなどの弾性材料を含んでもよい。これらの異なる実施形態は、吸収性物品５００に異なる有益な嵌合特性を与え得る。例えば、ストランド５１６の一つまたは複数は、ストランド５１６ａ〜ｄなどのアーチ状に、前部および／または後部ウェストパネル５０２、５０４の少なくとも一部分全体に延在し得る。これらのアーチ状ストランド５１６、またはストランド５１６の部分は、身体上に物品５００のより良い輪郭を提供することによって、装着された時、物品５００のより密接したおよび／またはより快適なフィットを許容し得る。
【０１０１】
同様に、脚カフ５１０、５１１は、一つまたは複数の弾性ストランド５１７で形成され得る。いくつかの実施形態では、一つまたは複数のストランド５１７の部分５１８は、本明細書に記載の実施形態のいずれかによるアーチ状に延在し得る。これにより、脚カフ５１０、５１１が脚の周りなど、着用者の身体に適合することがより良好である物品５００がより良好にフィットするのを可能にする。一部の追加的または代替的な実施形態では、封じ込めフラップ５１２はまた、一つまたは複数の弾性ストランド５２１を含んでもよい。これらの弾性ストランド５２１の部分５２２などの少なくとも一部の部分は、それによって着用者の身体により良く適合して、漏れ防止を助けるように、本明細書に記載の任意の実施形態に従ってアーチ状に延在し得る。
【０１０２】
図１７は、本明細書に開示される材料のうちの一つまたは複数を使用することから利益を得ることができる別の例示的吸収性物品６００を図示する。物品６００はシャシー６０２および身体に面する表面６０３を含むことができ、さらに、前側パネル６０９および後側パネル６０８を含み得る。前側パネル６０９は、取り付け領域６０７を含むことができ、後側パネル６０８は取り付け領域６０９を含み得る。取り付け領域６０７、６０９は、前側パネル６０９と後側パネル６０９との間の確実な接続から互いに協働し得る。こうした構成では、物品６００は衣服構成内にあると考えられ得る。
【０１０３】
いくつかの実施形態では、一つまたは複数のアーチ状部分（図示せず）を有する一つまたは複数の弾性ストランドを含むために、前側パネル６０９および／または後側パネル６０８のうちの少なくとも一つに対して有益であり得る。従って、前側パネル６０９および／または後側パネル６０８は、本明細書に記載される材料のいずれかを含んでもよい。前側パネル６０９および／または後側パネル６０８は、物品６００により良いフィトを提供するために、アーチ状部分を有する弾性ストランドの実装から利益を得ることができる。前側パネル６０９および／または後側パネル６０８は、着用者のウェストおよび脚の一部の周りに延びて位置するので、前側パネル６０９および／または後側パネル６０８の弾性ストランドのアーチ状部分は、より良好なフィットをもたらす物品６００のより良い輪郭を提供し得る。
【０１０４】
物品６００はさらに、一つまたは複数の弾性ストランド６１１で形成され得る脚カフ６１０を含み得る。いくつかの実施形態では、一つまたは複数のストランド６１１の一部は、本明細書に記載の実施形態のいずれかによる部分６１２などのアーチ状に延在し得る。これにより、脚カフ６１０が、脚の周りなど、着用者の身体に適合することがより良好である物品６００がより良好にフィットできるようになり得る。一部の追加的または代替的な実施形態では、封じ込めフラップ６１５はまた、一つまたは複数の弾性ストランド６１６を含んでもよい。部分６１８などのこれらの弾性ストランド６１６の少なくともいくつかの部分は、本明細書に記載の実施形態のいずれかに従ってアーチ状に延在し得る。これらのアーチ状部分６１８は、漏れの防止に役立ち得るために、封じ込めフラップ６１５が着用者の身体により良く適合するのを可能にすることができる。さらに追加的または代替的な実施形態では、物品６００は前部ウェストバンド６２０および／または後部ウェストバンド６２１を含み得る。さまざまな実施形態で、前部ウェストバンド６２０および／または後部ウェストバンド６２１は、本明細書で開示した材料のいずれかによる、アーチ状に延びる一つまたは複数の弾性ストランドを含む。前部ウェストバンド６２０および／または後部ウェストバンド６２１のこのようなアーチ状部分は、より良いフィット特性を有する物品６００を提供するのに役立ち得る。
【０１０５】
詳細な説明に引用されている全ての文書は、該当部分において、参照により本明細書に組み込まれる。いかなる文書の引用も、本発明に関して先行技術であることを承認するものとして解釈されるべきではない。本文書に記載された用語の任意の意味または定義が、参照により本明細書に組み込まれる文書のいずれかの意味または定義と矛盾する範囲において、本文書の用語に割り当てられた意味または定義を適用するものとする。
【０１０６】
当業者であれば、本開示は、本明細書に記載および意図された特定の実施形態以外のさまざまな形態で現れることを認識するであろう。具体的には、さまざまな実施形態および図面に関連して説明したさまざまな特徴は、それらの実施形態および／または図のみに適用されると解釈されるべきではない。むしろ、それぞれの記述された特徴は、それらの特徴と併せて説明される他の特徴のいずれかを有それともまたは有さないさまざまな意図された実施形態のその他任意の特徴と組み合わされ得る。従って、添付の請求項に記載される本開示の範囲から逸脱することなく、形態および詳細における逸脱がなされえる。
【０１０７】
実施形態
第１の実施形態では、弾性材料を形成するための方法は、縦方向に上面および下面を有する第一の連続基体材料を前進させることと、縦方向に上面および下面を有する第二の連続基体材料を前進させることと、縦方向に伸張状態で弾性ストランドを前進させることであって、弾性ストランドが、第一の連続基体材料の下面と第二の連続基体材料の上面との間に位置付けられるように、前進させることとを含んでもよい。方法は、第一の連続基体材料および第二の連続基体材料の間に位置付けられた弾性ストランドとともに第一の連続基体材料および第二の連続基体材料を接合装置に前進させることをさらに含んでもよい。接合装置が、第一の接合要素と、第一の接合要素に近接して配置され、第一の接合要素との接合ニップを形成する第二の接合要素とを含んでもよい。方法はまた、弾性ストランドを幅方向に振動させることと、第一の連続基体材料、第二の連続基体材料、および弾性ストランドを接合ニップを通して前進させ、少なくとも第一の接合物および第二の接合物で、第一の連続基体材料および第二の連続基体材料の間に位置付けられた弾性ストランドとともに、第一の連続基体材料を第二の連続基体材料に接合することとを含んでもよい。第一の接合物および第二の接合物が、弾性ストランドの両側に配置され、かつ弾性ストランドの非張力の直径よりも小さい距離だけ離間してもよく、およびアーチ状に延在する弾性ストランドの一部に沿って位置され得る。
【０１０８】
第２の実施形態では、第１の実施形態の第二の接合要素は、周囲を含む外縁を有してもよく、第二の連続基体および弾性ストランドが、周囲の約５％〜約７５％である接触長さのために外縁に沿って第二の接合要素に接触し得る。
【０１０９】
第３の実施形態では、第１および第２の実施形態のいずれかの第二の接合要素は、周囲を含む外縁を有するロールであり、第二の連続基体および弾性ストランドが、周囲の約１５％〜約５０％である接触長さのために外縁に沿って第二の接合要素に接触し得る。
【０１１０】
第４の実施形態では、第２の実施形態の第一の連続基体材料は、周囲の約５％〜約７５％である接触長さのために外縁に沿って第二の接合要素に接触し得る。
【０１１１】
第５の実施形態において、第１から第４の実施形態のいずれかの、第一の連続基体材料を、第二の連続基体材料に、間に配置された弾性ストランドとともに接合する工程が、弾性ストランドの両側に配置された第三の接合物および第四の接合物を形成することをさらに含んでもよい。第三の接合物および第四の接合物が、弾性ストランドの非張力の直径よりも小さい距離だけ離間し、直線的に延びる弾性ストランドの一部に沿って位置し得る。
【０１１２】
第６の実施形態では、第１から第５の実施形態のいずれかの方法は、第一の連続基体材料と第二の連続基体材料との間に接着剤を塗布する工程を含まなくてもよい。
【０１１３】
第７の実施形態では、第１から第６の実施形態のいずれかの第一の接合物および第二の接合物は、圧力接合によって形成され得る。
【０１１４】
第８の実施形態では、第１から第６の実施形態の第一の接合物および第二の接合物は、超音波接合によって形成され得る。
【０１１５】
第９の実施形態では、弾性材料を形成するための方法は、縦方向に上面および下面を有する第一の連続基体材料を前進させることと、縦方向に上面および下面を有する第二の連続基体材料を前進させることと、縦方向に伸張状態で弾性ストランドを前進させることであって、弾性ストランドが、第一の連続基体材料の下面と第二の連続基体材料の上面との間に位置付けられるように、前進させることと、第一の連続基体材料および第二の連続基体材料の間に位置付けられた弾性ストランドとともに第一の連続基体材料および第二の連続基体材料を接合装置に前進させることとを含んでもよい。接合装置は、第一の接合要素と、第一の接合要素に近接して配置され、第一の接合要素と接合ニップを形成する第二の接合要素と、第二の接合要素に近接して配置され、第二の接合要素と案内ニップを形成する案内要素とを含んでもよい。方法は、弾性ストランドを幅方向に振動させることと、第二の連続基体と弾性体が接合ニップの前で第二の接合要素と接触するように、第二の連続基体および弾性ストランドを、案内ニップを通して前進させることと、第一の連続基体材料、第二の連続基体材料、および弾性ストランドを接合ニップを通して前進させ、少なくとも第一の接合物および第二の接合物で、第一の連続基体材料および第二の連続基体材料の間に位置付けられた弾性ストランドとともに第一の連続基体材料を第二の連続基体材料に接合することとをさらに含んでもよい。第一の接合物および第二の接合物が、弾性ストランドの両側に配置され、弾性ストランドの非張力の直径よりも小さい距離だけ離間し、アーチ状に延在する弾性ストランドの一部に沿って位置され得る。
【０１１６】
第１０の実施形態では、第９の実施形態の第二の接合要素は、周囲を含む外縁を有するロールであり、案内ニップが、接合ニップと案内ニップとの間の距離が、第二の接合要素の外縁に沿って、周囲の約５％〜約７５％であるように配置され得る。
【０１１７】
第１１の実施形態では、第９および第１０の実施形態のいずれかの第二の接合要素は、周囲を含む外縁を有するロールであり、案内ニップが、接合ニップと案内ニップとの間の距離が、第二の接合要素の外縁に沿って、周囲の約１５％〜約５０％であるように配置され得る。
【０１１８】
第１２の実施形態では、第９から第１１の実施形態のうちのいずれかの方法は、第一の連続基体材料を、第二の連続基体材料および第一の連続基体材料とともに案内ニップを通して前進させることをさらに含み得る。
【０１１９】
第１３の実施形態において、第９から第１２の実施形態のいずれかの、第一の連続基体材料を第二の連続基体材料に、間に配置された弾性ストランドとともに接合する工程は、弾性ストランドの両側に配置された第三の接合物と、第四の接合物とをさらに含み得る。第三の接合物および第四の接合物が、弾性ストランドの非張力の直径よりも小さい距離だけ離間し、直線的に延びる弾性ストランドの一部に沿って位置し得る。
【０１２０】
第１４の実施形態では、第９から第１３の実施形態のいずれかの方法は、第一の連続基体材料と第二の連続基体材料との間に接着剤を塗布する工程を含まなくてもよい。
【０１２１】
第１５の実施形態では、第９から第１４の実施形態のいずれかの第一の接合要素および第二の接合要素は、ロールを含み得る。
【０１２２】
第１６の実施形態では、弾性材料は、第一の基材層と、第二の基材層と、第一の基材層と第二の基材層との間に配置される弾性ストランドと、第一の基材層を第二の基材層に接合する複数の接合物とを含んでもよい。弾性ストランドが少なくとも一つの直線部分および少なくとも一つのアーチ状部分を含んでもよい。複数の接合物は、第一の接合物および第二の接合物を含んでもよく、第一の接合物および第二の接合物は、弾性ストランドの両側に配置され、弾性ストランドの非張力の直径よりも小さい距離だけ分離され、弾性ストランドのアーチ状部分に沿って位置され得る。
【０１２３】
第１７の実施形態では、第１６の実施形態の複数の接合物は、第三の接合物および第四の接合物をさらに含んでもよく、第三の接合物および第二の接合物は、弾性ストランドの両側に配置され得る。第三の接合物および第四の接合物は、弾性ストランドの少なくとも一つの直線部分に沿って位置する弾性ストランドの非張力の直径よりも小さい距離だけ離間し得る。
【０１２４】
第１８の実施形態では、第１６から第１７の実施形態のいずれかの材料は、接着剤を含まなくてもよい。
【０１２５】
第１９実施形態では、第１６から第１８の実施形態のいずれかの複数の接合物は、長手方向に隣接する接合物列の間に延びる複数の接合されていないチャネルを形成する接合物列内に配置されてもよく、弾性ストランドのアーチ状部分は、複数の接合されていないチャネルの複数の間に延在し得る。
【０１２６】
第２０の実施形態では、第１６から第１９の実施形態のいずれかの複数の接合物は、長手方向に隣接する接合物列の間に延びる複数の接合されていないチャネルを形成する接合物列内に配置されてもよく、複数の接合物の一部分は、アーチ形状を有する接合されていないチャネルを形成し得る。さらに、弾性ストランドのアーチ状部分は、アーチ状の接合されていないチャネルを通って延びてもよい。
【０１２７】
第２１の実施形態では、弾性材料は、横方向および長手方向に延びてもよく、複数の接合物によって第１のウェブ材料に接合された第１のウェブ材料と第二のウェブ材料とを含んでもよい。複数の接合物は、横方向に延在する第一の連続した対向する接合物対であって、第一の連続した対向する接合物対の間に延在する第一の接合されていないチャネル画定する第一の連続した対向する接合物対と、横方向に延び、第一の連続した対向する接合物対から長手方向離間する第二の連続した対向する接合物対であって、第二の連続した対向する接合物対の間に延びる第二の接合されていないチャネルを画定する第二の連続した対向する接合物対とを含んでもよい。材料は、横方向に延在し、第一のウェブ材料と第二のウェブ材料との間に配置された弾性ストランドをさらに含んでもよい。弾性ストランドの第一の部分は、第一の接合されていないチャネル内に配置されてもよく、弾性ストランドの第二の部分は、第二の接合されていないチャネル内に配置され得る。
【０１２８】
第２２の実施形態では、弾性ストランドが位置する第一の接合されていないチャネルの一部分を画定する、第２１の実施形態の材料の、第一の連続した対向する接合物対の少なくとも一つの接合物対の接合物は、弾性ストランドの非張力の直径よりも小さい距離だけ長手方向に離間し得る。
【０１２９】
第２３の実施形態では、第２２の実施形態の材料の、第一の連続した対向する接合物対の少なくとも一つの接合物対の接合物は、弾性ストランドの非張力の直径よりも大きい距離だけ長手方向に離間し得る。
【０１３０】
第２４の実施形態では、長手方向に、第２３の実施形態の材料の、弾性ストランドの非張力の直径よりも小さい距離だけ離間する接合物は、第一の接合面積を有してもよく、長手方向に、第２３の実施形態の材料の、弾性ストランドの非張力の直径よりも大きい距離だけ離間する接合物は、第二の接合面積を有してもよく、第二の面積は第一の面積よりも小さくてもよい。
【０１３１】
第２５の実施形態では、長手方向に、第２３の実施形態の材料の、弾性ストランドの非張力の直径よりも小さい距離だけ離間する接合物は、多角形であってもよく、長手方向に、第２３の実施形態の材料の、弾性ストランドの非張力の直径よりも大きい距離だけ離間する接合物は、円形であり得る。
【０１３２】
第２７の実施形態では、第２２から第２６の実施形態のいずれかの材料の、第二の接合されていないチャネルの一部を画定する第二の連続した対向する接合物対の少なくとも一つの接合物対の接合物は、弾性ストランドの非張力の直径よりも小さい距離だけ長手方向に離間し得る。
【０１３３】
第２７の実施形態では、第２２から第２６の実施形態のいずれかの材料の、第二の接合されていないチャネルの一部を画定する第二の連続した対向する接合物対の少なくとも一つの接合物対の接合物は、弾性ストランドの非張力の直径よりも大きい距離だけ長手方向に離間し得る。
【０１３４】
第２８の実施形態では、第二の接合されていないチャネル内に配置される、第２７の実施形態の材料の弾性ストランドの第二の部分は、弾性ストランドの非張力の直径よりも小さい距離だけ、長手方向に離間した第二の連続した対向する接合物対のいずれの接合物対の間を通過しなくてもよい。
【０１３５】
第２９の実施形態において、第２１から第２８の実施形態のうちのいずれかの材料の、第一の連続した対向する接合物対は、第二の連続した対向する接合物対に隣接しなくてもよい。
【０１３６】
第３０の実施形態では、第２１から第２９の実施形態のうちのいずれかの材料は、横方向に延び、第一の連続した対向する接合物対および第二の連続した対向する接合物対から長手方向に離間した第三の連続した対向する接合物対をさらに含んでもよく、第三の連続した対向する接合物対は、第三の連続した対向する接合物対の間に延びる第三の接合されていないチャネルを画定し、弾性ストランドの第三の部分は、第三の接合されていないチャネル内に配置し得る。
【０１３７】
第３１の実施形態では、第２１から第３０の実施形態のいずれかの弾性ストランドの第三の部分は、第一の接合されていないチャネル内に配置されてもよく、第二の部分は第一の部分と第三の部分の間に配置される。
【０１３８】
第３２の実施形態では、横方向および長手方向に延びる弾性材料は、第一のウェブ材料と、複数の接合物によって第一のウェブ材料に接合された第二のウェブ材料と、接合物対を形成する複数の接合物少なくともいくつかと、横方向に延在し、第一のウェブ材料と第二のウェブ材料との間に配置された弾性ストランドとを含んでもよい。弾性ストランドは、アーチ形状を形成してもよく、弾性ストランドは、複数の接合物対の間に延在してもよく、複数の接合物対の少なくともいくつかは、弾性ストランドの非張力の直径より小さい長手方向距離だけ分離された接合物を有する。
【０１３９】
第３３の実施形態では、弾性ストランドが延在する第３２の実施形態の複数の接合物対の少なくともいくつかは、弾性ストランドの非張力の直径よりも大きい長手方向距離だけ分離された接合物を有し得る。
【０１４０】
第３４の実施形態では、弾性ストランドの非張力の直径より小さい長手方向距離だけ分離された第３３の実施形態の接合物は、第一の接合面積を持ち、弾性ストランドの非張力の直径よりも大きい距離だけ長手方向に離間している接合物は、第一の接合面積より小さい第二の接合面積を有し得る。
【０１４１】
第３５の実施形態では、長手方向に、弾性ストランドの非張力の直径よりも小さい距離だけ離間する第３３および第３４の実施形態のいずれかの接合物は、多角形であってもよく、長手方向に、弾性ストランドの非張力の直径よりも大きい距離だけ離間する接合物は、円形であり得る。
【０１４２】
第３６の実施形態では、第３３から第３５の実施形態のいずれかの弾性ストランドは、長手方向に、直線の経路において、弾性ストランドの非張力の直径よりも小さい距離だけ離間する接合物を通して延びてもよく、弾性ストランドは、アーチ状の経路において、長手方向に、弾性ストランドの非張力の直径よりも大きい距離だけ離間する接合物を通して延びてもよい。
【０１４３】
特許請求の範囲に記載の数値限定に「約」が記載されているか否かにかかわらず、本発明の技術思想に鑑みて、実質的に同一の範囲を含むものである。 
【図１】
0006847308.tif 000002
【図２】
0006847308.tif 000003
【図３Ａ】
0006847308.tif 000004
【図３Ｂ】
0006847308.tif 000005
【図３Ｃ】
0006847308.tif 000006
【図４】
0006847308.tif 000007
【図５】
0006847308.tif 000008
【図６】
0006847308.tif 000009
【図７】
0006847308.tif 000010
【図８】
0006847308.tif 000011
【図９】
0006847308.tif 000012
【図１０】
0006847308.tif 000013
【図１１】
0006847308.tif 000014
【図１２】
0006847308.tif 000015
【図１３】
0006847308.tif 000016
【図１４】
0006847308.tif 000017
【図１５】
0006847308.tif 000018
【図１６】
0006847308.tif 000019
【図１７】
0006847308.tif 000020